(57)【要約】デュアル接続動作のためのスモールセル強化、および／または例示のＬＩＰＡ／ＳＩＰＴＯアーキテクチャのサポートのためのこのような強化の効果は、有用となり得る。示されるＬ−ＧＷは、一緒に置かれたＬ−ＧＷ（例えば図示されないＳ−ＧＷと共に）、および／またはＳ−ＧＷ能力を有するスタンドアロンＬ−ＧＷとすることができる。実施形態は、おそらくスタンドアロンの組み合わされたゲートウェイによる、ＲＡＮ上のＳＩＰＴＯおよび／またはローカルネットワークでのＳＩＰＴＯのシナリオを認識する。実施形態は他のシナリオの中でも、デュアル接続モードにおいて一緒に置かれたゲートウェイによるローカルネットワークでのＬＩＰＡ／ＳＩＰＴＯのまたはそれに対するサポートをもたらすことが有用となり得ることを企図する。実施形態はまた複数のシナリオにおいて、デュアル接続動作をサポートする能力をもたらすことに対する有用性を企図する。
2017513427.tif 000002
【特許請求の範囲】
【請求項１】
スモールセル進化型ノードＢデバイス（ＳｅＮＢ）であって、
少なくとも、
ローカルゲートウェイ（ＬＧＷ）のためのインターネットプロトコル（ＩＰ）アドレスを決定することであって、前記ＬＧＷは前記ＳｅＮＢに関連付けられる、決定すること、
前記ＩＰアドレスを前記ＬＧＷに割り当てること、
ローカルＩＰアクセス（ＬＩＰＡ）通信、または選択されたＩＰトラフィックオフロード（ＳＩＰＴＯ）通信の少なくとも１つで通信する要求を受信すること、
前記ＬＧＷとの関連付け、または前記要求の前記受信の少なくとも１つの後すぐに、前記ＬＧＷ  ＩＰアドレスをマクロ進化型ノードＢ（ＭｅＮＢ）に送ることであって、前記ＳｅＮＢは前記ＭｅＮＢとデュアル接続でにある、送ること、および
前記ローカルインターネットパケット（ＩＰ）アクセス（ＬＩＰＡ）通信、または前記選択されたＩＰトラフィックオフロード（ＳＩＰＴＯ）通信の前記少なくとも１つで通信すること、
を行うように構成されたプロセッサを備える、スモールセル進化型ノードＢデバイス（ＳｅＮＢ）。
【請求項２】
前記プロセッサは、前記ＬＧＷ  ＩＰアドレスが、前記ＭｅＮＢとの前記デュアル接続に関わる制御プレーンインターフェースを経由して送られるようにさらに構成される、請求項１に記載のＳｅＮＢ。
【請求項３】
前記制御プレーンインターフェースは、Ｘｎインターフェースである、請求項２に記載のＳｅＮＢ。
【請求項４】
前記プロセッサは、前記ＬＧＷのための前記ＩＰアドレスを決定することが、前記ＬＧＷが前記ＳｅＮＢと同じＩＰアドレスを有することを決定することを含むように構成される、請求項１に記載のＳｅＮＢ。
【請求項５】
前記ＬＧＷは、ローカルパケットデータネットワーク（ＰＤＮ）ゲートウェイ、またはローカルＩＰアクセスもしくは選択されたＩＰトラフィックオフロード（ＬＩＰＡ／ＳＩＰＴＯ）ゲートウェイの少なくとも１つである、請求項１に記載のＳｅＮＢ。
【請求項６】
前記プロセッサは、前記ＬＧＷとの関連付けを実装するようにさらに構成される、請求項１に記載のＳｅＮＢ。
【請求項７】
前記ＬＧＷは、ホーム進化型ノードＢ（ＨｅＮＢ）サブシステムの少なくとも一部である、請求項１に記載のＳｅＮＢ。
【請求項８】
前記ＭｅＮＢとの前記デュアル接続は、前記ＳｅＮＢおよび前記ＭｅＮＢの両方を経由する、無線送信／受信ユニット（ＷＴＲＵ）への情報の通信を含む、請求項１に記載のＳｅＮＢ。
【請求項９】
前記プロセッサは、前記ローカルインターネットパケット（ＩＰ）アクセス（ＬＩＰＡ）通信、または前記選択されたＩＰトラフィックオフロード（ＳＩＰＴＯ）通信の少なくとも１つで通信することが、前記ＬＧＷと協働するようにさらに構成される、請求項１に記載のＳｅＮＢ。
【請求項１０】
プロセッサを備える無線送信／受信ユニット（ＷＴＲＵ）であって、
前記プロセッサは少なくとも、
ローカルインターネットパケット（ＩＰ）アクセス（ＬＩＰＡ）通信または選択されたＩＰトラフィックオフロード（ＳＩＰＴＯ）通信の少なくとも１つのために、スモールセル進化型ノードＢ（ＳｅＮＢ）を経由したパケットデータネットワーク（ＰＤＮ）接続を確立し、
アイドルモードから遷移するとすぐに、アップリンク（ＵＬ）データ要求を受信し、
前記ＵＬデータ要求が、前記ＬＩＰＡ通信または前記ＳＩＰＴＯ通信の少なくとも１つに対するものであることを決定し、
前記ＳｅＮＢと通信する機会を決定し、
前記機会が発生するとすぐに、前記ＳｅＮＢとのランダムアクセスチャネル（ＲＡＣＨ）手順を開始し、
ＲＡＣＨ手順が成功するとすぐに、前記ＳｅＮＢと同期し、および
前記ＵＬデータ要求に応答して前記ＳｅＮＢを経由して、前記ＬＩＰＡ通信または前記ＳＩＰＴＯ通信の少なくとも１つを送る
ように構成される、無線送信／受信ユニット（ＷＴＲＵ）。
【請求項１１】
前記プロセッサは、前記ＳｅＮＢを経由して前記ＰＤＮ接続を確立することが、前記ＰＤＮ接続が前記ＳｅＮＢを経由していることの表示、または前記ＳｅＮＢのセル識別（ｃｅｌｌ＿ＩＤ）の少なくとも１つをメモリに記憶することを含むようにさらに構成される、請求項１０に記載のＷＴＲＵ。
【請求項１２】
前記プロセッサは、前記ＳｅＮＢと通信する機会を決定することが、
前記ＳｅＮＢからの信号の強度を測定すること、および
前記信号の強度を閾値と比較することであって、前記信号の強度が前記閾値を満たすまたはそれを超えることは前記ＳｅＮＢと通信する機会の発生を示す、比較すること、
を含むようにさらに構成される、請求項１０に記載のＷＴＲＵ。
【請求項１３】
前記プロセッサが、
マクロ進化型ノードＢ（ＭｅＮＢ）とのランダムアクセスチャネル（ＲＡＣＨ）手順を開始し、
前記ＷＴＲＵが前記ＳｅＮＢと同期したことの表示をＭｅＮＢに送り、
前記ＳｅＮＢのセル識別（ｃｅｌｌ＿ＩＤ）を前記ＭｅＮＢに送る
ようにさらに構成される、請求項１０に記載のＷＴＲＵ。
【請求項１４】
マクロ進化型ノードＢデバイス（ＭｅＮＢ）であって、
第１のプロセッサを備え、前記第１のプロセッサは、少なくとも、
１または複数のローカルゲートウェイ（ＬＧＷ）インターネットプロトコル（ＩＰ）アドレスを、モビリティ管理エンティティデバイス（ＭＭＥ）に送ること、および
無線送信／受信ユニット（ＷＴＲＵ）からコンテキスト要求を受信することであって、前記コンテキスト要求はＬＧＷ  ＩＰアドレスを含む、受信すること
を行うように構成される、マクロ進化型ノードＢデバイス（ＭｅＮＢ）と、
前記ＭＭＥであって、
第２のプロセッサを備え、前記第２のプロセッサは、少なくとも、
前記ＬＧＷ  ＩＰアドレスと前記１または複数のＬＧＷ  ＩＰアドレスの間に、対応するＬＧＷ  ＩＰアドレスが存在することまたは存在しないことの少なくとも１つを決定し、
前記対応するＬＧＷ  ＩＰアドレスが存在することを決定するとすぐに、前記対応するＬＧＷ  ＩＰアドレス、または相関識別の少なくとも１つを前記ＭｅＮＢに送り、および
前記対応するＬＧＷ  ＩＰアドレスが存在しないことを決定するとすぐに、選択されたＩＰトラフィックオフロード（ＳＩＰＴＯ）パケットデータネットワーク（ＰＤＮ）接続の非活動化、または前記ＳＩＰＴＯ  ＰＤＮ接続の再活動化の少なくとも１つを行う、
ように構成される、前記ＭＭＥと
を備える、システム。
【請求項１５】
前記ＬＧＷは、選択されたＩＰトラフィックオフロード（ＳＩＰＴＯ）ゲートウェイである、請求項１４に記載のシステム。
【請求項１６】
前記第１のプロセッサが、
前記ＭＭＥから、前記対応するＬＧＷ  ＩＰアドレスまたは前記相関識別の少なくとも１つを受信し、
前記対応するＬＧＷ  ＩＰアドレスまたは前記相関識別の少なくとも１つに対応するスモールセル進化型ノードＢ（ＳｅＮＢ）とのデータトンネルを作成する
ようにさらに構成される、請求項１４に記載のシステム。
【請求項１７】
前記第１のプロセッサが、
前記ＭＭＥから、前記対応するＬＧＷ  ＩＰアドレスまたは前記相関識別の少なくとも１つを受信し、
データトンネルを形成せずに、ＳＩＰＴＯ  ＰＤＮ接続のための進化型ノードＢ（ｅＮＢ）として機能する
ようにさらに構成される、請求項１４に記載のシステム。
【請求項１８】
前記第１のプロセッサが、
前記ＭＭＥから、前記対応するＬＧＷ  ＩＰアドレスまたは前記相関識別の少なくとも１つを受信し、
前記対応するＬＧＷ  ＩＰアドレスまたは前記相関識別の少なくとも１つに関連付けられた１または複数のスモールセル（Ｓセル）に対する１または複数の測定を行うように、前記ＷＴＲＵを構成し、
前記１または複数の測定に基づいて、少なくとも１つの適切なＳセルが存在することまたは存在しないことの少なくとも１つを決定する
ようにさらに構成される、請求項１４に記載のシステム。
【請求項１９】
前記第２のプロセッサが、
タイマを開始し、
前記少なくとも１つの適切なＳセルの存在が決定されることなくタイマが満了するとすぐに、パケットデータネットワークゲートウェイ（ＰＧＷ）とのＳＩＰＴＯ  ＰＤＮ接続を再構成する
ようにさらに構成される、請求項１８に記載のシステム。
【請求項２０】
前記コンテキスト要求は、前記ＷＴＲＵがアイドルモードから遷移するとすぐに、前記ＭｅＮＢによって受信される、請求項１４に記載のシステム。
【発明の詳細な説明】
【技術分野】
【０００１】
関連出願の相互参照
本出願は、すべての目的において、その内容が本明細書にその全体が記載されている如く参照により組み込まれている、２０１４年３月１３日に出願した「Ｌｏｃａｌ  Ｏｆｆｌｏａｄ  ａｎｄ  Ｓｍａｌｌ  Ｃｅｌｌ  Ａｒｃｈｉｔｅｃｔｕｒｅ  （ＳＣＡ）」という名称の米国特許仮出願第６１／９５２，８５９号の利益を主張するものである。
【背景技術】
【０００２】
スモールセルアーキテクチャは、より大電力の無線アクセスノードと比べてあまり大きくない範囲を有し得る、認可されたまたは無認可のスペクトルにおいて動作する、低電力無線アクセスノードを含むことができる。スモールセルノードは、数十キロメートルの範囲を有し得るモバイルマクロセルと比べて「小さい」。スモールセルは、数メートルから数キロメートルの範囲に及び得る、小さな無線フットプリントをもたらす。
【０００３】
スモールセルは、フェムトセル、ピコセル、および／またはマイクロセルを含む。スモールセルネットワークは、集中化されたベースバンドユニット、およびリモート無線ヘッドを含み得る分散型無線技術を用いて実現され得る。スモールセルは、モバイルネットワークオペレータによって集中的に管理され得る。
【発明の概要】
【０００４】
この概要は、「発明を実施するための形態」において以下でさらに述べられる選択された概念を、簡略化された形で導入するためにもたらされる。この「発明の概要」は、特許請求される主題の主要な特徴または本質的な特徴を特定するためのものではなく、特許請求される主題の範囲を限定するために用いられるためのものでもない。
【０００５】
実施形態は、同じパケットデータネットワーク（ＰＤＮ）接続の１または複数のデフォルトおよび／または専用ベアラが、１または複数の異なるセルによってサービスされ得ることを企図する。例えばＱｏＳ要件を有するＰＤＮ接続「１」の専用ベアラはＭｅＮＢによってサービスされ、デフォルトベアラはＳｅＮＢによってサービスされ得る。これらのベアラをＳｅＮＢに切り換えるために、ベアラ固有のＸ２経路切り換え要求、および／またはＳｅＮＢ追加／変更手順が用いられ得る。
【０００６】
実施形態は、ＰＤＮ接続がローカルＩＰアクセスおよび／または選択されたＩＰトラフィックオフロード（ＬＩＰＡ／ＳＩＰＴＯ）接続であり得る（例えばいくつかの実施形態ではＳｅＮＢを通過することが有用となり得る）ことを示すために、ネットワークがＡＣＴＩＶＡＴＥ  ＤＥＦＡＵＬＴ  ＢＥＡＲＥＲ  ＣＯＮＴＥＸＴ  ＲＥＱＵＥＳＴメッセージ内の「接続性タイプ」ＩＥを用い得ることを企図する。いくつかの実施形態では、このＰＤＮ接続に対応するＳｅＮＢの識別（例えばＣｅｌｌ＿ＩＤ）は、同じメッセージ内で無線送信／受信ユニット（ＷＴＲＵ）（またはユーザ機器（ＵＥ））に送られ得る。
【０００７】
実施形態は、ＷＴＲＵがＳｅＮＢの利用可能性をＭｅＮＢに報告し得ることを企図する（例えばＲＲＣ測定報告メッセージ内で）。ＭｅＮＢは、他のシナリオの中でもおそらく例えばＳｅＮＢが利用可能となり得ない場合は、ＳＣＧからＳｅＮＢを削除することができ、および／またはＳｅＮＢに無線ベアラを解放するように要求することができる。
【０００８】
実施形態は、ＭｅＮＢが、少なくとも１つのＳＩＰＴＯ  ＬＧＷ  ＩＰアドレスをＳ１ＡＰ初期メッセージ内にもたらし得ることを企図する。ＭｅＮＢは、他のシナリオの中でもおそらく例えば１つのＬＧＷ  ＩＰアドレスがもたらされ得るときに、ＬＧＷ  ＩＰアドレスが一時的であり得ることを示すことができる。
【０００９】
実施形態は、他のシナリオの中でもおそらく例えばスモールセル（「Ｓセル」、これは本明細書では「ＳｅＮＢ」と同義的に用いられ得る）がＷＴＲＵのために構成され得るときに、ＭｅＮＢがＭＭＥに、Ｓ１−Ｕトランスポートアドレス、および／またはオフロードされるベアラのためのＳｅＮＢのＴＥＩＤを通知し得ることを企図する。情報は、おそらく例えば構成されたＳｅＮＢが一緒に置かれたＬＧＷによるＳＩＰＴＯをサポートし得る場合、および／またはオフロードされるベアラが相関ＩＤを含み得る場合に、ＳｅＮＢのサービングゲートウェイ（ＳＧＷ）ＩＰアドレスを含むことができる。
【００１０】
実施形態は、プロセッサを備え得るスモールセル進化型ノードＢデバイス（ＳｅＮＢ）を企図する。プロセッサは、ローカルゲートウェイ（ＬＧＷ）のためのインターネットプロトコル（ＩＰ）アドレスを決定するように構成され得る。ＬＧＷは、ＳｅＮＢに関連付けられ得る。プロセッサは、ＩＰアドレスをＬＧＷに割り当てるように構成され得る。プロセッサは、ローカルＩＰアクセス（ＬＩＰＡ）通信、または選択されたＩＰトラフィックオフロード（ＳＩＰＴＯ）通信の少なくとも１つを通信する要求を受信するように構成され得る。プロセッサは、ＬＧＷとの関連付け、または要求の受信の少なくとも１つの後すぐに、ＬＧＷ  ＩＰアドレスをマクロ進化型ノードＢ（ＭｅＮＢ）に送るように構成され得る。ＳｅＮＢはＭｅＮＢとデュアル接続であり得る。プロセッサは、ローカルインターネットプロトコル（ＩＰ）アクセス（ＬＩＰＡ）通信、または選択されたＩＰトラフィックオフロード（ＳＩＰＴＯ）通信の少なくとも１つを通信するように構成され得る。
【００１１】
実施形態は、プロセッサを備え得る無線送信／受信ユニット（ＷＴＲＵ）を企図する。プロセッサは、ローカルインターネットプロトコル（ＩＰ）アクセス（ＬＩＰＡ）通信または選択されたＩＰトラフィックオフロード（ＳＩＰＴＯ）通信の少なくとも１つのために、スモールセル進化型ノードＢ（ＳｅＮＢ）を経由したパケットデータネットワーク（ＰＤＮ）接続を確立するように構成され得る。プロセッサは、アイドルモードから遷移するとすぐに、アップリンク（ＵＬ）データ要求を受信するように構成され得る。プロセッサは、ＵＬデータ要求がＬＩＰＡ通信またはＳＩＰＴＯ通信の少なくとも１つに対するものであり得ることを決定するように構成され得る。プロセッサは、ＳｅＮＢと通信する機会を決定するように構成され得る。プロセッサは、機会が発生するとすぐに、ＳｅＮＢとのランダムアクセスチャネル（ＲＡＣＨ）手順を開始するように構成され得る。プロセッサは、ＲＡＣＨ手順が成功するとすぐに、ＳｅＮＢと同期するように構成され得る。プロセッサは、ＵＬデータ要求に応答してＳｅＮＢを経由して、ＬＩＰＡ通信およびＳＩＰＴＯ通信の少なくとも１つを送るように構成され得る。
【００１２】
実施形態は、マクロ進化型ノードＢデバイス（ＭｅＮＢ）を備え得るシステムを企図する。ＭｅＮＢは第１のプロセッサを備え得る。第１のプロセッサは、１または複数のローカルゲートウェイ（ＬＧＷ）インターネットプロトコル（ＩＰ）アドレスを、モビリティ管理エンティティデバイス（ＭＭＥ）に送るように構成され得る。第１のプロセッサは、無線送信／受信ユニット（ＷＴＲＵ）からコンテキスト要求を受信するように構成され得る。コンテキスト要求は、ＬＧＷ  ＩＰアドレスを含むことができる。ＭＭＥは第２のプロセッサを備え得る。第２のプロセッサは、ＬＧＷ  ＩＰアドレスと１または複数のＬＧＷ  ＩＰアドレスの間に、対応するＬＧＷ  ＩＰアドレスが存在することまたは存在しないことの少なくとも１つを決定するように構成され得る。第２のプロセッサは、対応するＬＧＷ  ＩＰアドレスが存在することを決定するとすぐに、対応するＬＧＷ  ＩＰアドレス、または相関識別の少なくとも１つをＭｅＮＢに送るように構成され得る。第２のプロセッサは、対応するＬＧＷ  ＩＰアドレスが存在しないことを決定するとすぐに、選択されたＩＰトラフィックオフロード（ＳＩＰＴＯ）パケットデータネットワーク（ＰＤＮ）接続の非活動化、またはＳＩＰＴＯ  ＰＤＮ接続の再活動化の少なくとも１つを行うように構成され得る。
【図面の簡単な説明】
【００１３】
添付の図面と共に例として示される以下の説明から、より詳細な理解が得られ得る。
【図１Ａ】１または複数の開示される実施形態が実装され得る、例示の通信システムのシステム図である。
【図１Ｂ】図１Ａに示される通信システム内で使用され得る、例示の無線送信／受信ユニット（ＷＴＲＵ）のシステム図である。
【図１Ｃ】図１Ａに示される通信システム内で使用され得る、例示の無線アクセスネットワークおよび例示のコアネットワークのシステム図である。
【図１Ｄ】図１Ａに示される通信システム内で使用され得る、別の例示の無線アクセスネットワークおよび例示のコアネットワークのシステム図である。
【図１Ｅ】図１Ａに示される通信システム内で使用され得る、別の例示の無線アクセスネットワークおよび例示のコアネットワークのシステム図である。
【図１Ｆ】実施形態と一貫性のある、スモールセル／デュアル接続アーキテクチャのための制御プレーンアーキテクチャを示す例示の図である。
【図２】実施形態と一貫性のある、スモールセル／デュアルセル接続のための２つのユーザプレーンアーキテクチャの例を示す図である。
【図３】実施形態と一貫性のある、スモールセル／デュアルセル接続のための２つのユーザプレーンアーキテクチャの例を示す図である。
【図４】実施形態と一貫性のある、ＨｅＮＢと一緒に置かれたＬ−ＧＷによるＬＩＰＡアーキテクチャの例を示す図である。
【図５】実施形態と一貫性のある、Ｌ−ＧＷと一緒に置かれたＳ−ＧＷを含むアーキテクチャの例を示す図である。
【図６】実施形態と一貫性のある、ＬＩＰＡ／ＳＩＰＴＯ機能を含むアーキテクチャの例を示す図である。
【図７】実施形態と一貫性のある、ＬＩＰＡ／ＳＩＰＴＯトラフィックにアクセスするための無線送信／受信ユニット（ＷＴＲＵまたはユーザ機器（ＵＥ））のための例示の技法を示す図である。
【図８】実施形態と一貫性のある、ＬＩＰＡ／ＳＩＰＴＯトラフィックにアクセスするための無線送信／受信ユニット（ＷＴＲＵまたはユーザ機器（ＵＥ））のための例示の技法を示す図である。
【発明を実施するための形態】
【００１４】
次に例示的実施形態の詳細な説明が、様々な図に関連して述べられる。この説明は可能な実装形態の詳細な例を示もたらすが、詳細は例示的なものであり、本出願の範囲を限定するものでは全くないことが留意されるべきである。本明細書で用いられる、冠詞「ａ」および「ａｎ」は、さらなる限定または特徴付けがない限り、例えば「１または複数」または「少なくとも１つ」を意味するものと理解され得る。
【００１５】
図１Ａは、１または複数の開示される実施形態が実装され得る、例示の通信システム１００の図である。通信システム１００は、複数の無線ユーザに、音声、データ、ビデオ、メッセージング、放送その他などのコンテンツを提供する多元接続方式とすることができる。通信システム１００は、複数の無線ユーザが、無線帯域幅を含むシステムリソースの共有を通して、このようなコンテンツにアクセスすることを可能にすることができる。例えば通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）、および同種のものなどの、１または複数のチャネルアクセス方法を使用することができる。
【００１６】
図１Ａに示されるように通信システム１００は、無線送信／受信ユニット（ＷＴＲＵ）１０２ａ、１０２ｂ、１０２ｃ、および／または１０２ｄ（これらは全体としてまたはまとめてＷＴＲＵ１０２と呼ばれ得る）、無線アクセスネットワーク（ＲＡＮ）１０３／１０４／１０５、コアネットワーク１０６／１０７／１０９、公衆交換電話ネットワーク（ＰＳＴＮ）１０８、インターネット１１０、および他のネットワーク１１２を含むことができるが、開示される実施形態は任意の数のＷＴＲＵ、基地局、ネットワーク、および／またはネットワーク要素を企図することが理解されるであろう。ＷＴＲＵ１０２ａ、１０２ｂ、１０２ｃ、１０２ｄのそれぞれは、無線環境において動作および／または通信するように構成された任意のタイプのデバイスとすることができる。例としてＷＴＲＵ１０２ａ、１０２ｂ、１０２ｃ、１０２ｄは、無線信号を送信および／または受信するように構成されることができ、ユーザ機器（ＵＥ）、移動局、固定またはモバイル加入者ユニット、ページャ、携帯電話、携帯情報端末（ＰＤＡ）、スマートフォン、ラップトップ、ノートブック、パーソナルコンピュータ、無線センサ、民生用電子機器、および同種のものを含むことができる。
【００１７】
通信システム１００はまた、基地局１１４ａおよび基地局１１４ｂを含むことができる。基地局１１４ａ、１１４ｂのそれぞれは、コアネットワーク１０６／１０７／１０９、インターネット１１０、および／またはネットワーク１１２などの、１または複数の通信ネットワークへのアクセスを容易にするように、ＷＴＲＵ１０２ａ、１０２ｂ、１０２ｃ、１０２ｄの少なくとも１つと無線でインターフェース接続するように構成された任意のタイプのデバイスとすることができる。例として基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、無線ルータ、および同種のものとすることができる。基地局１１４ａ、１１４ｂはそれぞれ単一の要素として示されるが、基地局１１４ａ、１１４ｂは、任意の数の相互接続された基地局および／またはネットワーク要素を含み得ることが理解されるであろう。
【００１８】
基地局１１４ａはＲＡＮ１０３／１０４／１０５の一部とすることができ、これはまた他の基地局、および／または基地局コントローラ（ＢＳＣ）、無線ネットワークコントローラ（ＲＮＣ）、中継ノードその他などのネットワーク要素（図示せず）を含むことができる。基地局１１４ａおよび／または基地局１１４ｂは、セル（図示せず）と呼ばれ得る特定の地理的領域内で、無線信号を送信および／または受信するように構成され得る。セルはさらにセルセクタに分割され得る。例えば基地局１１４ａに関連付けられたセルは、３つのセクタに分割され得る。したがって一実施形態では基地局１１４ａは、３つのトランシーバ、すなわちセルの各セクタに対して１つを含むことができる。別の実施形態では基地局１１４ａは、多入力多出力（ＭＩＭＯ）技術を使用することができ、したがってセルの各セクタに対して複数のトランシーバを利用することができる。
【００１９】
基地局１１４ａ、１１４ｂは、任意の適切な無線通信リンク（例えば無線周波数（ＲＦ）、マイクロ波、赤外線（ＩＲ）、紫外線（ＵＶ）、可視光など）とすることができるエアインターフェース１１５／１１６／１１７を通して、ＷＴＲＵ１０２ａ、１０２ｂ、１０２ｃ、１０２ｄの１または複数と通信することができる。エアインターフェース１１５／１１６／１１７は、任意の適切な無線アクセス技術（ＲＡＴ）を用いて確立され得る。
【００２０】
より具体的には上記のように通信システム１００は、多元接続方式とすることができ、ＣＤＭＡ、ＴＤＭＡ、ＦＤＭＡ、ＯＦＤＭＡ、ＳＣ−ＦＤＭＡ、および同種のものなどの１または複数のチャネルアクセス方式を使用することができる。例えばＲＡＮ１０３／１０４／１０５内の基地局１１４ａ、およびＷＴＲＵ１０２ａ、１０２ｂ、１０２ｃは、ユニバーサル移動体通信システム（ＵＭＴＳ）地上無線アクセス（ＵＴＲＡ）などの無線技術を実装することができ、これらは広帯域ＣＤＭＡ（ＷＣＤＭＡ（登録商標））を用いてエアインターフェース１１５／１１６／１１７を確立することができる。ＷＣＤＭＡは、高速パケットアクセス（ＨＳＰＡ）、および／またはＥｖｏｌｖｅｄ  ＨＳＰＡ（ＨＳＰＡ＋）などの通信プロトコルを含むことができる。ＨＳＰＡは、高速ダウンリンクパケットアクセス（ＨＳＤＰＡ）、および／または高速アップリンクパケットアクセス（ＨＳＵＰＡ）を含むことができる。
【００２１】
別の実施形態では、基地局１１４ａおよびＷＴＲＵ１０２ａ、１０２ｂ、１０２ｃは、Ｅｖｏｌｖｅｄ  ＵＭＴＳ地上無線アクセス（Ｅ−ＵＴＲＡ）などの無線技術を実装することができ、これはロングタームエボリューション（ＬＴＥ）および／またはＬＴＥアドバンスト（ＬＴＥ−Ａ）を用いて、エアインターフェース１１５／１１６／１１７を確立することができる。
【００２２】
他の実施形態では、基地局１１４ａおよびＷＴＲＵ１０２ａ、１０２ｂ、１０２ｃは、ＩＥＥＥ８０２．１６（すなわちマイクロ波アクセス用世界規模相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、ＧＳＭ  ＥＤＧＥ（ＧＥＲＡＮ）、および同種のものなどの無線技術を実装することができる。
【００２３】
図１Ａの基地局１１４ｂは、例えば無線ルータ、ホームノードＢ、ホームｅノードＢ、またはアクセスポイントとすることができ、事業所、ホーム、乗り物、キャンパス、および同種のものなどの局所的エリアにおける、無線接続性を容易にするための任意の適切なＲＡＴを利用することができる。一実施形態では、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線技術を実装することができる。別の実施形態では、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線技術を実装することができる。さらに別の実施形態では、基地局１１４ｂおよびＷＴＲＵ１０２ｃ、１０２ｄは、ピコセルまたはフェムトセルを確立するために、セルラベースのＲＡＴ（例えばＷＣＤＭＡ、ＣＤＭＡ２０００、ＧＳＭ、ＬＴＥ、ＬＴＥ−Ａなど）を利用することができる。図１Ａに示されるように基地局１１４ｂは、インターネット１１０への直接接続を有することができる。したがって基地局１１４ｂは、コアネットワーク１０６／１０７／１０９を経由してインターネット１１０にアクセスしなくてもよい。
【００２４】
ＲＡＮ１０３／１０４／１０５はコアネットワーク１０６／１０７／１０９と通信することができ、これは音声、データ、アプリケーション、および／またはボイスオーバインターネットプロトコル（ＶｏＩＰ）サービスを、ＷＴＲＵ１０２ａ、１０２ｂ、１０２ｃ、１０２ｄの１または複数にもたらすように構成された任意のタイプのネットワークとすることができる。例えばコアネットワーク１０６／１０７／１０９は、呼制御、料金請求サービス、モバイル位置ベースのサービス、プリペイドコール、インターネット接続性、ビデオ配信などをもたらすことができ、および／またはユーザ認証などの高レベルセキュリティ機能を行うことができる。図１Ａに示されないが、ＲＡＮ１０３／１０４／１０５および／またはコアネットワーク１０６／１０７／１０９は、ＲＡＮ１０３／１０４／１０５と同じＲＡＴまたは異なるＲＡＴを使用する他のＲＡＮと、直接または間接に通信できることが理解されるであろう。例えば、Ｅ−ＵＴＲＡ無線技術を利用し得るＲＡＮ１０３／１０４／１０５に接続されることに加えて、コアネットワーク１０６／１０７／１０９はまた、ＧＳＭ無線技術を使用する別のＲＡＮ（図示せず）とも通信することができる。
【００２５】
コアネットワーク１０６／１０７／１０９はまた、ＰＳＴＮ１０８、インターネット１１０、および／または他のネットワーク１１２にアクセスするように、ＷＴＲＵ１０２ａ、１０２ｂ、１０２ｃ、１０２ｄのためのゲートウェイとして働くことができる。ＰＳＴＮ１０８は、従来型電話サービス（plain old telephone service）（ＰＯＴＳ）をもたらす回線交換電話ネットワークを含むことができる。インターネット１１０は、伝送制御プロトコル（ＴＣＰ）、ユーザデータグラムプロトコル（ＵＤＰ）、およびＴＣＰ／ＩＰインターネットプロトコル群におけるインターネットプロトコル（ＩＰ）などの共通通信プロトコルを用いる、相互接続されたコンピュータネットワークおよびデバイスの地球規模のシステムを含むことができる。ネットワーク１１２は、他のサービスプロバイダによって所有および／または運用される有線もしくは無線通信ネットワークを含むことができる。例えばネットワーク１１２は、ＲＡＮ１０３／１０４／１０５と同じＲＡＴまたは異なるＲＡＴを使用することができる１または複数のＲＡＮに接続された、別のコアネットワークを含むことができる。
【００２６】
通信システム１００内のＷＴＲＵ１０２ａ、１０２ｂ、１０２ｃ、１０２ｄのいくつかまたはすべては、マルチモード能力を含むことができ、すなわちＷＴＲＵ１０２ａ、１０２ｂ、１０２ｃ、１０２ｄは、異なる無線リンクを通して異なる無線ネットワークと通信するための複数のトランシーバを含むことができる。例えば図１Ａに示されるＷＴＲＵ１０２ｃは、セルラベースの無線技術を使用することができる基地局１１４ａと、およびＩＥＥＥ８０２無線技術を使用することができる基地局１１４ｂと通信するように構成され得る。
【００２７】
図１Ｂは、例示のＷＴＲＵ１０２のシステム図である。図１Ｂに示されるようにＷＴＲＵ１０２は、プロセッサ１１８、トランシーバ１２０、送信／受信要素１２２、スピーカ／マイク１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺装置１３８を含むことができる。ＷＴＲＵ１０２は、実施形態と一貫性を保ちながら、上記の要素の任意のサブコンビネーションを含み得ることが理解されるであろう。また実施形態は、基地局１１４ａおよび１１４ｂ、および／またはとりわけ非限定的にトランシーバ局（ＢＴＳ）、ノードＢ、サイトコントローラ、アクセスポイント（ＡＰ）、ホームノードＢ、進化型ホームノードＢ（ｅノードＢ）、ホーム進化型ノードＢ（ＨｅＮＢ）、ホーム進化型ノードＢゲートウェイ、およびプロキシノードなど、基地局１１４ａおよび１１４ｂが表すことができるノードは、図１Ｂに示され本明細書で述べられる要素のいくつかまたはすべてを含み得ることを企図する。
【００２８】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連した１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械、および同種のものとすることができる。プロセッサ１１８は、信号コード化、データ処理、電源制御、入力／出力処理、および／またはＷＴＲＵ１０２が無線環境において動作することを可能にする任意の他の機能を行うことができる。プロセッサ１１８はトランシーバ１２０に結合されることができ、これは送信／受信要素１２２に結合され得る。図１Ｂはプロセッサ１１８およびトランシーバ１２０を別々の構成要素として示すが、プロセッサ１１８およびトランシーバ１２０は、電子回路パッケージまたはチップ内に一緒に統合され得ることが理解されるであろう。
【００２９】
送信／受信要素１２２は、エアインターフェース１１５／１１６／１１７を通して、基地局（例えば基地局１１４ａ）に信号を送信し、またはそれから信号を受信するように構成され得る。例えば一実施形態では送信／受信要素１２２は、ＲＦ信号を送信および／または受信するように構成されたアンテナとすることができる。別の実施形態では送信／受信要素１２２は、例えばＩＲ、ＵＶ、または可視光信号を送信および／または受信するように構成された、放射器／検出器とすることができる。さらに別の実施形態では送信／受信要素１２２は、ＲＦおよび光信号の両方を送信および受信するように構成され得る。送信／受信要素１２２は、無線信号の任意の組み合わせを送信および／または受信するように構成され得ることが理解されるであろう。
【００３０】
さらに図１Ｂでは送信／受信要素１２２は単一の要素として示されるが、ＷＴＲＵ１０２は、任意の数の送信／受信要素１２２を含むことができる。より具体的にはＷＴＲＵ１０２は、ＭＩＭＯ技術を使用することができる。したがって一実施形態ではＷＴＲＵ１０２は、エアインターフェース１１５／１１６／１１７を通して無線信号を送信および受信するための、２つ以上の送信／受信要素１２２（例えば複数のアンテナ）を含むことができる。
【００３１】
トランシーバ１２０は、送信／受信要素１２２によって送信されることになる信号を変調し、送信／受信要素１２２によって受信された信号を復調するように構成され得る。上記のようにＷＴＲＵ１０２は、マルチモード能力を有することができる。したがってトランシーバ１２０は、ＷＴＲＵ１０２が例えばＵＴＲＡおよびＩＥＥＥ８０２．１１などの複数のＲＡＴによって通信することを可能にするための複数のトランシーバを含むことができる。
【００３２】
ＷＴＲＵ１０２のプロセッサ１１８は、スピーカ／マイク１２４、キーパッド１２６、および／またはディスプレイ／タッチパッド１２８（例えば液晶表示（ＬＣＤ）ディスプレイユニット、または有機発光ダイオード（ＯＬＥＤ）ディスプレイユニット）に結合されることができ、それらからユーザ入力データを受け取ることができる。プロセッサ１１８はまた、スピーカ／マイク１２４、キーパッド１２６、および／またはディスプレイ／タッチパッド１２８にユーザデータを出力することができる。加えてプロセッサ１１８は、非リムーバブルメモリ１３０および／またはリムーバブルメモリ１３２などの任意のタイプの適切なメモリからの情報にアクセスし、それにデータを記憶することができる。非リムーバブルメモリ１３０は、ランダムアクセスメモリ（ＲＡＭ）、読み出し専用メモリ（ＲＯＭ）、ハードディスク、または任意の他のタイプのメモリ記憶装置を含むことができる。リムーバブルメモリ１３２は、加入者識別モジュール（ＳＩＭ）カード、メモリスティック、セキュアデジタル（ＳＤ）メモリカード、および同種のものを含むことができる。他の実施形態ではプロセッサ１１８は、サーバまたはホームコンピュータ（図示せず）上など、物理的にＷＴＲＵ１０２上にないメモリからの情報にアクセスし、それにデータを記憶することができる。
【００３３】
プロセッサ１１８は、電源１３４から電力を受け取ることができ、ＷＴＲＵ１０２内の他の構成要素に対して電力を分配および／または制御するように構成され得る。電源１３４は、ＷＴＲＵ１０２に電力供給するための任意の適切なデバイスとすることができる。例えば電源１３４は、１または複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉイオン）など）、太陽電池、燃料電池、および同種のものを含むことができる。
【００３４】
プロセッサ１１８はまたＧＰＳチップセット１３６に結合されることができ、これはＷＴＲＵ１０２の現在の位置に関する位置情報（例えば経度および緯度）をもたらすように構成され得る。ＧＰＳチップセット１３６からの情報に加えてまたはその代わりに、ＷＴＲＵ１０２は、エアインターフェース１１５／１１６／１１７を通して基地局（例えば基地局１１４ａ、１１４ｂ）から位置情報を受信することができ、および／または２つ以上の近くの基地局から受信される信号のタイミングに基づいてその位置を決定することができる。ＷＴＲＵ１０２は、実施形態と一貫性を保ちながら、任意の適切な位置決定方法によって位置情報を取得できることが理解されるであろう。
【００３５】
プロセッサ１１８はさらに他の周辺装置１３８に結合されることができ、これはさらなる特徴、機能、および／または有線もしくは無線接続性をもたらす、１または複数のソフトウェアおよび／またはハードウェアモジュールを含むことができる。例えば周辺装置１３８は、加速度計、電子コンパス、衛星トランシーバ、デジタルカメラ（写真またはビデオ用）、ユニバーサルシリアルバス（ＵＳＢ）ポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザ、および同種のものを含むことができる。
【００３６】
図１Ｃは、実施形態によるＲＡＮ１０３およびコアネットワーク１０６のシステム図である。上記のようにＲＡＮ１０３は、ＵＴＲＡ無線技術を使用して、エアインターフェース１１５を通してＷＴＲＵ１０２ａ、１０２ｂ、および／または１０２ｃと通信することができる。ＲＡＮ１０３はまた、コアネットワーク１０６と通信することができる。図１Ｃに示されるようにＲＡＮ１０３は、ノードＢ１４０ａ、１４０ｂ、１４０ｃを含むことができ、これらはそれぞれ、エアインターフェース１１５を通してＷＴＲＵ１０２ａ、１０２ｂ、１０２ｃと通信するための１または複数のトランシーバを含むことができる。ノードＢ１４０ａ、１４０ｂ、１４０ｃはそれぞれ、ＲＡＮ１０３内の特定のセル（図示せず）に関連付けされ得る。ＲＡＮ１０３はまた、ＲＮＣ１４２ａ、１４２ｂを含むことができる。ＲＡＮ１０３は、実施形態と一貫性を保ちながら、任意の数のノードＢおよびＲＮＣを含み得ることが理解されるであろう。
【００３７】
図１Ｃに示されるようにノードＢ１４０ａ、１４０ｂは、ＲＮＣ１４２ａと通信することができる。さらにノードＢ１４０ｃは、ＲＮＣ１４２ｂと通信することができる。ノードＢ１４０ａ、１４０ｂ、１４０ｃは、Ｉｕｂインターフェースを経由して、それぞれＲＮＣ１４２ａ、１４２ｂと通信することができる。ＲＮＣ１４２ａ、１４２ｂは、Ｉｕｒインターフェースを経由して互いに通信することができる。ＲＮＣ１４２ａ、１４２ｂのそれぞれは、それが接続されるそれぞれのノードＢ１４０ａ、１４０ｂ、１４０ｃを制御するように構成され得る。さらにＲＮＣ１４２ａ、１４２ｂのそれぞれは、外側ループ電源制御、負荷制御、アドミッション制御、パケットスケジューリング、ハンドオーバ制御、マクロダイバーシティ、セキュリティ機能、データ暗号化、および同種のものなどの、他の機能を実行またはサポートするように構成され得る。
【００３８】
図１Ｃに示されるコアネットワーク１０６は、メディアゲートウェイ（ＭＧＷ）１４４、モバイル交換局（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素のそれぞれはコアネットワーク１０６の一部として示されるが、これらの要素のいずれの１つも、コアネットワークオペレータ以外のエンティティによって所有および／または運用され得ることが理解されるであろう。
【００３９】
ＲＡＮ１０３内のＲＮＣ１４２ａは、ＩｕＣＳインターフェースを経由してコアネットワーク１０６内のＭＳＣ１４６に接続され得る。ＭＳＣ１４６はＭＧＷ１４４に接続され得る。ＭＳＣ１４６およびＭＧＷ１４４は、ＷＴＲＵ１０２ａ、１０２ｂ、１０２ｃと従来型の陸線通信デバイスとの間の通信を容易にするために、ＰＳＴＮ１０８などの回線交換ネットワークへのアクセスをＷＴＲＵ１０２ａ、１０２ｂ、１０２ｃにもたらすことができる。
【００４０】
ＲＡＮ１０３内のＲＮＣ１４２ａはまた、ＩｕＰＳインターフェースを経由してコアネットワーク１０６内のＳＧＳＮ１４８に接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃにもたらすことができる。
【００４１】
上記のようにコアネットワーク１０６はまた、ネットワーク１１２に接続されることができ、これは他のサービスプロバイダによって所有および／または運用される他の有線もしくは無線ネットワークを含むことができる。
【００４２】
図１Ｄは、実施形態によるＲＡＮ１０４およびコアネットワーク１０７のシステム図である。上記のようにＲＡＮ１０４は、Ｅ−ＵＴＲＡ無線技術を使用して、エアインターフェース１１６を通してＷＴＲＵ１０２ａ、１０２ｂ、および／または１０２ｃと通信することができる。ＲＡＮ１０４はまた、コアネットワーク１０７と通信することができる。
【００４３】
ＲＡＮ１０４はｅノードＢ１６０ａ、１６０ｂ、１６０ｃを含むことができるが、ＲＡＮ１０４は実施形態と一貫性を保ちながら、任意の数のｅノードＢを含み得ることが理解されるであろう。ｅノードＢ１６０ａ、１６０ｂ、１６０ｃはそれぞれ、エアインターフェース１１６を通してＷＴＲＵ１０２ａ、１０２ｂ、１０２ｃと通信するための１または複数のトランシーバを含むことができる。一実施形態ではｅノードＢ１６０ａ、１６０ｂ、１６０ｃは、ＭＩＭＯ技術を実装することができる。したがって例えばｅノードＢ１６０ａは、複数のアンテナを用いてＷＴＲＵ１０２ａに無線信号を送信し、それから無線信号を受信することができる。
【００４４】
ｅノードＢ１６０ａ、１６０ｂ、１６０ｃのそれぞれは、特定のセル（図示せず）に関連付けることができ、無線リソース管理決定、ハンドオーバ決定、アップリンクおよび／またはダウンリンクにおけるユーザのスケジューリング、および同種のものを取り扱うように構成され得る。図１Ｄに示されるように、ｅノードＢ１６０ａ、１６０ｂ、１６０ｃは、Ｘ２インターフェースを通して互いに通信することができる。
【００４５】
図１Ｄに示されるコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含むことができる。上記の要素のそれぞれはコアネットワーク１０７の一部として示されるが、これらの要素のいずれの１つも、コアネットワークオペレータ以外のエンティティによって所有および／または運用され得ることが理解されるであろう。
【００４６】
ＭＭＥ１６２は、Ｓ１インターフェースを経由してＲＡＮ１０４内のｅノードＢ１６０ａ、１６０ｂ、１６０ｃのそれぞれに接続されることができ、制御ノードとして働くことができる。例えばＭＭＥ１６２は、ＷＴＲＵ１０２ａ、１０２ｂ、１０２ｃのユーザを認証すること、ベアラ活動化／非活動化、ＷＴＲＵ１０２ａ、１０２ｂ、１０２ｃの初期アタッチ時に特定のサービングゲートウェイを選択すること、および同種のものに対して責任をもち得る。ＭＭＥ１６２はまた、ＲＡＮ１０４と、ＧＳＭまたはＷＣＤＭＡなどの他の無線技術を使用する他のＲＡＮ（図示せず）との間で切り換えるための、制御プレーン機能をもたらすことができる。
【００４７】
サービングゲートウェイ１６４は、Ｓ１インターフェースを経由してＲＡＮ１０４内のｅノードＢ１６０ａ、１６０ｂ、１６０ｃのそれぞれに接続され得る。サービングゲートウェイ１６４は一般に、ＷＴＲＵ１０２ａ、１０２ｂ、１０２ｃへのまたはそれらからのユーザデータパケットを、経路指定および転送することができる。サービングゲートウェイ１６４はまた、ｅノードＢ間ハンドオーバ時にユーザプレーンをアンカリングすること、ＷＴＲＵ１０２ａ、１０２ｂ、１０２ｃのためのダウンリンクデータが利用可能であるときにページングをトリガすること、ＷＴＲＵ１０２ａ、１０２ｂ、１０２ｃのコンテキストを管理および記憶すること、および同種のものなどの他の機能を行うことができる。
【００４８】
サービングゲートウェイ１６４はまた、ＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃにもたらすことができる、ＰＤＮゲートウェイ１６６に接続され得る。
【００４９】
コアネットワーク１０７は他のネットワークとの通信を容易にすることができる。例えばコアネットワーク１０７は、ＷＴＲＵ１０２ａ、１０２ｂ、１０２ｃと従来型の地上通信デバイスとの間の通信を容易にするために、ＰＳＴＮ１０８などの回線交換ネットワークへのアクセスをＷＴＲＵ１０２ａ、１０２ｂ、１０２ｃにもたらすことができる。例えばコアネットワーク１０７は、コアネットワーク１０７とＰＳＴＮ１０８の間のインターフェースとして働くＩＰゲートウェイ（例えばＩＰマルチメディアサブシステム（ＩＭＳ）サーバ）を含むことができ、またはそれと通信することができる。加えてコアネットワーク１０７は、ＷＴＲＵ１０２ａ、１０２ｂ、１０２ｃにネットワーク１１２へのアクセスをもたらすことができ、これは他のサービスプロバイダによって所有および／または運用される他の有線もしくは無線ネットワークを含むことができる。
【００５０】
図１Ｅは、実施形態によるＲＡＮ１０５およびコアネットワーク１０９のシステム図である。ＲＡＮ１０５は、ＩＥＥＥ８０２．１６無線技術を使用して、エアインターフェース１１７を通してＷＴＲＵ１０２ａ、１０２ｂ、１０２ｃと通信する、アクセスサービスネットワーク（ＡＳＮ）とすることができる。以下でさらに論じられるように、ＷＴＲＵ１０２ａ、１０２ｂ、１０２ｃ、ＲＡＮ１０５、およびコアネットワーク１０９の異なる機能エンティティ間の通信リンクは、基準点として定義され得る。
【００５１】
図１Ｅに示されるようにＲＡＮ１０５は、基地局１８０ａ、１８０ｂ、１８０ｃ、およびＡＳＮゲートウェイ１８２を含むことができるが、ＲＡＮ１０５は実施形態と一貫性を保ちながら、任意の数の基地局およびＡＳＮゲートウェイを含み得ることが理解されるであろう。基地局１８０ａ、１８０ｂ、１８０ｃはそれぞれＲＡＮ１０５内の特定のセル（図示せず）に関連付けることができ、それぞれエアインターフェース１１７を通してＷＴＲＵ１０２ａ、１０２ｂ、１０２ｃと通信するための１または複数のトランシーバを含むことができる。一実施形態では基地局１８０ａ、１８０ｂ、１８０ｃは、ＭＩＭＯ技術を実装することができる。したがって例えば基地局１８０ａは、複数のアンテナを用いてＷＴＲＵ１０２ａに無線信号を送信し、それから無線信号を受信することができる。基地局１８０ａ、１８０ｂ、１８０ｃはまた、ハンドオフトリガリング、トンネル確立、無線リソース管理、トラフィック分類、サービス品質（ＱｏＳ）ポリシー実施、および同種のものなどの、モビリティ管理機能をもたらすことができる。ＡＳＮゲートウェイ１８２は、トラフィック集約ポイントとして働くことができ、ページング、加入者プロファイルのキャッシング、コアネットワーク１０９への経路指定、および同種のものに対して責任をもち得る。
【００５２】
ＷＴＲＵ１０２ａ、１０２ｂ、１０２ｃとＲＡＮ１０５との間のエアインターフェース１１７は、ＩＥＥＥ８０２．１６仕様を実装するＲ１基準点として定義され得る。加えてＷＴＲＵ１０２ａ、１０２ｂ、１０２ｃのそれぞれは、コアネットワーク１０９との論理インターフェース（図示せず）を確立することができる。ＷＴＲＵ１０２ａ、１０２ｂ、１０２ｃとコアネットワーク１０９との間の論理インターフェースは、Ｒ２基準点として定義されることができ、これは認証、承認、ＩＰホスト構成管理、および／またはモビリティ管理のために用いられ得る。
【００５３】
基地局１８０ａ、１８０ｂ、１８０ｃのそれぞれの間の通信リンクは、基地局間のＷＴＲＵハンドオーバおよびデータの転送を容易にするためのプロトコルを含むＲ８基準点として定義され得る。基地局１８０ａ、１８０ｂ、１８０ｃとＡＳＮゲートウェイ１８２との間の通信リンクは、Ｒ６基準点として定義され得る。Ｒ６基準点は、ＷＴＲＵ１０２ａ、１０２ｂ、１０２ｃのそれぞれに関連付けられたモビリティイベントに基づくモビリティ管理を容易にするためのプロトコルを含むことができる。
【００５４】
図１Ｅに示されるようにＲＡＮ１０５は、コアネットワーク１０９に接続され得る。ＲＡＮ１０５とコアネットワーク１０９の間の通信リンクは、例えばデータ転送およびモビリティ管理能力を容易にするためのプロトコルを含む、Ｒ３基準点として定義され得る。コアネットワーク１０９は、モバイルＩＰホームエージェント（ＭＩＰ−ＨＡ）１８４、認証、承認、アカウンティング（ＡＡＡ）サーバ１８６、およびゲートウェイ１８８を含むことができる。上記の要素のそれぞれはコアネットワーク１０９の一部として示されるが、これらの要素のいずれの１つも、コアネットワークオペレータ以外のエンティティによって所有および／または運用され得ることが理解されるであろう。
【００５５】
ＭＩＰ−ＨＡは、ＩＰアドレス管理に対して責任をもつことができ、ＷＴＲＵ１０２ａ、１０２ｂ、１０２ｃが、異なるＡＳＮおよび／または異なるコアネットワークの間でローミングすることを可能にし得る。ＭＩＰ−ＨＡ１８４は、ＷＴＲＵ１０２ａ、１０２ｂ、１０２ｃとＩＰ対応デバイスとの間の通信を容易にするために、インターネット１１０などのパケット交換ネットワークへのアクセスを、ＷＴＲＵ１０２ａ、１０２ｂ、１０２ｃにもたらすことができる。ＡＡＡサーバ１８６は、ユーザ認証に対して、およびユーザサービスをサポートすることに対して責任をもち得る。ゲートウェイ１８８は、他のネットワークとのインターワーキングを容易にする。例えばゲートウェイ１８８は、ＷＴＲＵ１０２ａ、１０２ｂ、１０２ｃと従来型の地上通信デバイスとの間の通信を容易にするために、ＰＳＴＮ１０８などの回線交換ネットワークへのアクセスを、ＷＴＲＵ１０２ａ、１０２ｂ、１０２ｃにもたらすことができる。加えてゲートウェイ１８８はＷＴＲＵ１０２ａ、１０２ｂ、１０２ｃにネットワーク１１２へのアクセスをもたらすことができ、これは他のサービスプロバイダによって所有および／または運用される他の有線もしくは無線ネットワークを含むことができる。
【００５６】
図１Ｅには示されないが、ＲＡＮ１０５は他のＡＳＮに接続されることができ、コアネットワーク１０９は他のコアネットワークに接続され得ることが理解されるであろう。ＲＡＮ１０５と他のＡＳＮとの間の通信リンクは、Ｒ４基準点として定義されることができ、これはＲＡＮ１０５と他のＡＳＮとの間のＷＴＲＵ１０２ａ、１０２ｂ、１０２ｃのモビリティを調整するためのプロトコルを含むことができる。コアネットワーク１０９と他のコアネットワークとの間の通信リンクは、Ｒ５基準として定義されることができ、これはホームコアネットワークと訪問先のコアネットワークとの間のインターワーキングを容易にするためのプロトコルを含むことができる。
【００５７】
図１Ａ〜１Ｅ、および図１Ａ〜１Ｅの対応する説明に鑑みて、ＷＴＲＵ１０２ａ〜ｄ、基地局１１４ａ〜ｂ、ノードＢ１４０ａ〜ｃ、ＲＮＣ１４２ａ〜ｂ、ＭＳＣ１４６、ＳＧＳＮ１４８、ＭＧＷ１４４、ＧＧＳＮ１５０、ｅノードＢ１６０ａ〜ｃ、ＭＭＥ１６２、サービングゲートウェイ１６４、ＰＤＮゲートウェイ１６６、基地局１８０ａ〜ｃ、ＡＳＮゲートウェイ１８２、ＡＡＡ１８６、ＭＩＰ−ＨＡ１８４、および／またはゲートウェイ１８８、または同種のものの１または複数に関して、本明細書で述べられる機能の１または複数またはすべては、１または複数のエミュレーションデバイス（図示せず）（例えば、本明細書で述べられる機能の１または複数またはすべてをエミュレートするように構成された１または複数のデバイス）によって行われ得る。
【００５８】
１または複数のエミュレーションデバイスは、１または複数のモダリティにおいて１または複数またはすべての機能を行うように構成され得る。例えば１または複数のエミュレーションデバイスは、有線および／または無線通信ネットワークの一部として、全体にまたは部分的に実装／配備されながら、１または複数またはすべての機能を行うことができる。１または複数のエミュレーションデバイスは、有線および／または無線通信ネットワークの一部として一時的に実装／配備されながら、１または複数またはすべての機能を行うことができる。１または複数のエミュレーションデバイスは、有線および／または無線通信ネットワークの一部として実装／配備されずに、１または複数またはすべて機能を行うことができる（例えば試験機関でのテストシナリオにおいて、および／または配備されていない（例えば試験段階の）有線および／または無線通信ネットワーク、および／または有線および／または無線通信ネットワークの１または複数の配備された構成要素上で行われるテストなど）。１または複数のエミュレーションデバイスは、テスト機器とすることができる。
【００５９】
実施形態は、ＬＴＥシステム（そこでは例えばＷＴＲＵは、例えばマクロｅＮＢ（ＭｅＮＢ）および／またはスモールセルｅＮＢ（ＳｅＮＢ）などおそらく同時に２つのＲＡＮノード／ｅＮＢに接続され得る）において、デュアル接続をもたらし得るスモールセルアーキテクチャに対する３ＧＰＰ  ＲＡＮグループの作業を認識する。図１Ｆは、スモールセル／デュアル接続アーキテクチャのための制御プレーンアーキテクチャの例を示す。
【００６０】
ＷＴＲＵは、他のシナリオの中でもおそらく例えばデュアル接続動作において、単一のＲＲＣ状態（例えばＲＲＣ＿ＣＯＮＮＥＣＴＥＤ、ＲＲＣ＿ＩＤＬＥなど）に留まることができる。実施形態は、ＭｅＮＢ（例えばおそらくいくつかの実施形態ではＭｅＮＢのみ）が、ＷＴＲＵに向けて送られる最終ＲＲＣメッセージを生成し得ることを認識する。ＷＴＲＵ  ＲＲＣエンティティは、少なくとも１つのエンティティから（例えばＭｅＮＢ内の、およびいくつかの実施形態ではおそらく１つのエンティティのみから）来る１または複数またはすべてのメッセージを見ることができる。ＷＴＲＵはそのエンティティに返答することができる（例えばおそらくいくつかの実施形態ではそのエンティティのみに返答し得る）。ＲＲＣメッセージはＭｅＮＢから送信され得る。いくつかの実施形態では、ＳｅＮＢを経由したＲＲＣメッセージの伝送は、サポートされる場合もありサポートされない可能性もある。図１に見られるように、少なくとも１つのＷＴＲＵのための少なくとも１つＳ１−ＭＭＥ接続が存在し得る（例えばＭｅＮＢとＭＭＥの間、およびおそらくいくつかの実施形態では１つのＷＴＲＵに対しての１つだけのＳ１−ＭＭＥ接続が存在し得る）。
【００６１】
実施形態は、スモールセル／デュアルセル接続性のために有用となり得る、１または複数のユーザプレーンアーキテクチャ（例えば少なくとも２つの異なる）を認識する。図２および図３は、スモールセルユーザプレーンアーキテクチャのそれぞれの例を示す。
【００６２】
実施形態は、デュアル接続のためのデュアル接続動作、シグナリング、および／またはプロトコルサポートは、図２（例えば「１Ａ」）のアーキテクチャ、および／または図３（例えば「３Ｃ」）のアーキテクチャに関わる１または複数の再構成を含み得ることを企図する。
【００６３】
実施形態は例えば図２において、Ｓ１−Ｕトンネルの１または複数またはすべては、ＳｅＮＢにおいて終了し得ることを企図する。いくつかの実施形態では、ベアラ（例えば同じベアラ）に対するＭｅＮＢおよびＳｅＮＢにわたるベアラ分割はない可能性がある。実施形態はまた例えば図３においてＳ１−Ｕは、ＭｅＮＢ内で終了し得る（例えばおそらくいくつかの実施形態では、Ｓ１−ＵはＭｅＮＢ内でのみ終了し得る）ことを企図する。ベアラの１または複数またはすべては、ＭｅＮＢおよび／またはＳｅＮＢにわたって分割することができる。
【００６４】
実施形態はＬＩＰＡ／ＳＩＰＴＯを企図する。実施形態は、ローカルゲートウェイ／ローカルＰＤＮゲートウェイ（Ｌ−ＧＷまたはＬＧＷ）の概念の導入（例えば３ＧＰＰ  Ｒ１０における）を認識する。Ｌ−ＧＷは、トラフィックが、ローカルネットワークでのＰＤＮ接続を経由してローカルネットワークに（例えば直接に）経路指定されることを可能にし得る（例えば同種のものの中でも、ホームおよび／または企業）。図４は、ＨｅＮＢと一緒に置かれたＬ−ＧＷによるＬＩＰＡアーキテクチャの例を示す。
【００６５】
図４でＭＭＥは、他のシナリオの中でも例えばおそらく、少なくとも１つのＬＩＰＡ／ＳＩＰＴＯベアラのセットアップ時に、Ｓ１−ＡＰメッセージにおいて相関ＩＤをＨｅＮＢに送ることができる。相関ＩＤはＨｅＮＢによって用いられることが可能で、それはおそらく相関ＩＤに基づいてアップリンクトラフィック経路を決定することができる。図４において、両方向矢印実線のトラフィック（例えば相関ＩＤなし）はＣＮに送られ、および／または両方向矢印点線のトラフィック（例えばＨｅＮＢは相関ＩＤを有する）はＬＮに向かって送られ得る。このアーキテクチャは、例えば他のシナリオの中でもＳＩＰＴＯ＠Ｌｏｃａｌｎｅｔｗｏｒｋ  ＰＤＮ接続を有することによって、トラフィックをローカルネットワークを通してインターネットに経路指定するために用いることができる。相関ＩＤは、例えばｅＮＢによって、おそらく１または複数の関連付けられたベアラのためのアップリンクユーザプレーン経路が、ローカルゲートウェイに向かって直接導かれ得るかどうかを決定するために、ローカルネットワークでのＬＩＰＡ／ＳＩＰＴＯにおいて用いられ得るアイデンティティパラメータである。いくつかの実施形態では相関ＩＤは、他のシナリオの中でもおそらくＳＧＷを経由した（例えば通常の）ＥＰＣ経路を通して経路指定される代わりに、ユーザプレーンＰＤＮ  ＧＷ  ＴＥＩＤに送られ得る。
【００６６】
実施形態は、（例えば３ＧＰＰ  Ｒ１２における）スタンドアロンＬ−ＧＷの導入を認識する。図５は、Ｓ−ＧＷがＬ−ＧＷと一緒に置かれ得る、スタンドアロンＬ−ＧＷの例を示す。このアーキテクチャは、例えば他のシナリオの中でも、スタンドアロンＬ−ＧＷアーキテクチャにおけるＳＩＰＴＯ＠ＬＮ  ＰＤＮ接続をサポートすることができる。
【００６７】
図５においてＳ−ＧＷは、他のシナリオの中でもおそらく例えばローカルＰＤＮが開始され得るときに、Ｌ−ＳＧＷに再配置され得る。いくつかの実施形態では、他の理由の中でもおそらく例えばユーザプレーントラフィックのいくつかまたはすべてはＬ−ＳＧＷを通過し得るので、ＨｅＮＢは、ローカルトラフィック（矢印付き点線トラフィック）を、コアネットワーク（ＣＮ）トラフィックと区別しない可能性がある。中でもこのようなシナリオでは、このアーキテクチャにおいて相関ＩＤは有用となり得ない。
【００６８】
実施形態は、スモールセルアーキテクチャ（ＳＣＡ）におけるＬＩＰＡ／ＳＩＰＴＯの活動化を企図する。実施形態は、デュアル接続動作のためのスモールセル強化、および／または図６に示される例示のＬＩＰＡ／ＳＩＰＴＯアーキテクチャのサポートのためのこのような強化の効果を企図する。図６において、示されるＬ−ＧＷは、一緒に置かれたＬ−ＧＷ、および／またはＳ−ＧＷ能力（図示せず）を有するスタンドアロンＬ−ＧＷとすることができる。実施形態は、おそらくスタンドアロンの組み合わされたゲートウェイによる、ＲＡＮ上のＳＩＰＴＯおよび／またはローカルネットワークでのＳＩＰＴＯのシナリオを認識する。実施形態は他のシナリオの中でも、デュアル接続モードにおいて一緒に置かれたゲートウェイによるローカルネットワークでのＬＩＰＡ／ＳＩＰＴＯのまたはそれに対するサポートをもたらすことが有用となり得ることを企図する。実施形態はまた複数のシナリオにおいて、デュアル接続動作をサポートする能力をもたらすことに対する有用性を企図する。
【００６９】
例えば実施形態は他のシナリオの中でも、ＳｅＮＢにおいて一緒に置かれたＬＧＷによるローカルネットワークでのＬＩＰＡ／ＳＩＰＴＯ、一緒に置かれたＬＧＷによるローカルネットワークでのＬＩＰＡ／ＳＩＰＴＯ（ＭｅＮＢおよび／またはＳｅＮＢでの）、および／またはスタンドアロンＬＧＷを用いたローカルネットワークでのＬＩＰＡの１または複数を企図する。
【００７０】
実施形態は、デュアル接続モードにおけるローカルネットワークでのＬＩＰＡ／ＳＩＰＴＯの使用可能化を企図する。実施形態は、ＳｅＮＢにおけるＬＩＰＡ識別および／または相関ＩＤを企図する。実施形態は他の理由の中でも、ＳｅＮＢに接続され得るＬＧＷに関する情報をＭｅＮＢにもたらす、および／またはＬＧＷのアイデンティティについて通知するためにこのような情報をＭＭＥに送るための技法を企図する。実施形態は、相関ＩＤをＳｅＮＢにもたらすための技法を企図する。実施形態は、相関ＩＤセットの値をもたらす／決定するための技法を企図する。
【００７１】
実施形態は、ＬＩＰＡ／ＳＩＰＴＯトラフィックに対するＷＴＲＵアクセスのための１または複数の技法を企図する。実施形態は、ネットワークへのＷＴＲＵアクセスをもたらすための１または複数のトリガを企図し、他のシナリオの中でもおそらくいくつかの実施形態ではＷＴＲＵは、ＳｅＮＢを通したＬＩＰＡ／ＳＩＰＴＯトラフィックのためのＰＤＮ接続を確立し得たと想定する。実施形態は、ネットワークへのＷＴＲＵアクセスのために有用とすることができる以下のトリガの１または複数を企図する：
−  ＷＴＲＵは、非ＬＩＰＡ／ＳＩＰＴＯトラフィックに対するＵＬ伝送要求を有し得る、
−  ＷＴＲＵは、ＬＩＰＡ／ＳＩＰＴＯトラフィックに対するＵＬ伝送要求を有し得る、
−  ＷＴＲＵは、非ＬＩＰＡ／ＳＩＰＴＯダウンリンクトラフィックによって引き起こされるページングを受信し得た、および／または
−  ＷＴＲＵは、ＬＩＰＡ／ＳＩＰＴＯダウンリンクトラフィックによって引き起こされるページングを受信し得た。
【００７２】
実施形態は、他のシナリオの中でもおそらく例えばＬＩＰＡ／ＳＩＰＴＯが、一緒に置かれたＬ−ＧＷがその中に常駐し得る、および／またはそれによりスタンドアロンＬ−ＧＷ／ＳＧＷが接続され得る、ＳｅＮＢを通過できるシナリオにおける、ＷＴＲＵがネットワークにアクセスするための１または複数の技法を企図する。例えばＷＴＲＵは、おそらく例えばそれがＭｅＮＢとのＲＲＣ接続を行い得る前に、ＳｅＮＢによってサービスされることを確実にすることができる（例えば、他のシナリオの中でも例えばアクセスが、ＬＩＰＡ／ＳＩＰＴＯトラフィックによってトリガされ得るシナリオにおいて）。
【００７３】
実施形態は、デュアル接続および／またはＬＩＰＡ／ＳＩＰＴＯを含み得るシナリオに対する、以下の技法の１または複数を企図する：
−  他のシナリオの中でもおそらく例えば、アクセスがＬＩＰＡ／ＳＩＰＴＯトラフィックによってトリガされ得る場合に、有用となり得る１または複数の考慮を含む、ＷＴＲＵがネットワークにアクセスするための１または複数の技法、
−  他のシナリオの中でもおそらく例えば、アクセスがＬＩＰＡ／ＳＩＰＴＯトラフィックによってトリガされ得る場合に、ＷＴＲＵがそれがＳｅＮＢによってサービスされ得ることを発見するために用いることができる１または複数の技法、
−  区別することの有用性を決定するため、および／またはＬＩＰＡ／ＳＩＰＴＯダウンリンクトラフィックのためのページングを、非ＬＩＰＡ／ＳＩＰＴＯトラフィックのためのページングと区別するための１または複数の技法、および／または
−  他のシナリオの中でもおそらく例えば、ＬＩＰＡ／ＳＩＰＴＯのためのページングが失敗し得る場合に（例えばＳｅＮＢが利用できないことにより）、繰り返されるページングを防止することができる１または複数の技法。
【００７４】
実施形態は、アイドルから接続されたモードへの遷移を企図する。いくつかの実施形態ではＳＩＰＴＯ機能は、ＷＴＲＵにはトランスペアレントとすることができる。実施形態は他のシナリオの中でも、おそらく例えばＭＯおよび／またはＭＴトラフィックにより、および／またはおそらく例えばＷＴＲＵが前もってＭｅＮＢのもとでＳｅＮＢとのＳＩＰＴＯ  ＰＤＮ接続を確立し得た場合に、および／またはＷＴＲＵがＥＭＭ＿ＩＤＬＥに遷移し得る場合に、ＭｅＮＢへのＲＲＣ接続に対するＷＴＲＵ要求を容易にすることができる１または複数の技法を企図する。
【００７５】
ＭｅＮＢは、他のシナリオの中でもおそらく例えばＳ１初期ＷＴＲＵメッセージを送るとすぐに、ＷＴＲＵが特定のＳｅＮＢとのＳＩＰＴＯ  ＰＤＮ接続を有し得ることを認識し得ない。ＭｅＮＢは、他のシナリオの中でもおそらく例えばＳ１初期ＷＴＲＵメッセージを送るとすぐに、一緒に置かれたＳＩＰＴＯ  ＬＧＷを提供し得るＳｅＮＢの無線有効範囲のもとにＷＴＲＵがあり得ることを認識し得ない。実施形態は、ＭｅＮＢがＳ１メッセージに含めることができる、ＬＧＷアドレスを決定することができる技法を企図する。
【００７６】
実施形態はＭＭＥが、ＷＴＲＵコンテキスト内のＬＧＷ  ＩＰアドレスを、初期Ｓ１メッセージ内のｅＮＢからのＬＧＷ  ＩＰアドレスと比較し得ることを企図する。ＭＭＥは他のシナリオの中でもおそらく例えば、アドレスがＳ１ＡＰメッセージ内に欠けている、および／またはコンテキスト内のものと同じでない可能性がある場合に、ＳＩＰＴＯ  ＰＤＮ接続を非活動化および／または再活動化するように、ＷＴＲＵにシグナリングすることができる。ＷＴＲＵの既存のＳＩＰＴＯ  ＰＤＮ接続は、他のシナリオの中でもおそらく例えばＭｅＮＢが、ＷＴＲＵコンテキスト内のものとは異なるＬＧＷ  ＩＰアドレスを含み得る場合に（例えばおそらくこのような機能を提供するＭｅＮＢに接続された複数のＳｅＮＢにより）、および／またはおそらくＭｅＮＢがＬＧＷ  ＩＰアドレスを含まない可能性がある場合に（例えばおそらくＭｅＮＢはＷＴＲＵがいずれかのＳｅＮＢ有効範囲内にあり得ることを確信しない可能性があるために）、１または複数のまたはあらゆるアイドルから接続への遷移において、再び非活動化および／または再活動化され得る。
【００７７】
実施形態は、ＬＩＰＡ／ＳＩＰＴＯ活動化および／または非活動化を企図する。いくつかの実施形態ではＲＡＮノード（例えばＭｅＮＢ）は、いくつかのベアラをＭｅＮＢからＳｅＮＢに移動することができ、および／または逆も同様である。ＭｅＮＢは、これをＬＩＰＡ／ＳＩＰＴＯ  ＰＤＮ接続のために、おそらく例えば本明細書で述べられるような１または複数のトリガに基づいて行うことができる。
【００７８】
ＭＭＥはＰＤＮ接続の確立時にＭｅＮＢに、他のシナリオの中でもおそらく例えば、ＷＴＲＵがＭＭＥに、ＰＤＮ接続要求内に特定のＬＩＰＡ表示を有してＬＩＰＡ  ＰＤＮ接続に対する要求を送り得るときに、ＰＤＮ接続はＬ−ＧＷに接続され得るＳｅＮＢとのＬＩＰＡ  ＰＤＮに対するものであり得ることを通知することができる。この表示は、おそらく例えば一緒に置かれたＬ−ＧＷおよびＳｅＮＢの場合にＭＭＥによってＭｅＮＢに送られ得る相関ＩＤの形、および／またはＬＩＰＡトラフィックのためにＰＤＮ接続が確立されることをＭｅＮＢに通知し得るダウンリンクＳ１−ＡＰメッセージ内の表示とすることができる。ＭｅＮＢは、他のシナリオの中でもおそらく例えばこのようなＰＤＮ接続の確立時に、および／またはおそらくＬＩＰＡ  ＰＤＮ接続が確立され得た後に、このようなベアラを、ＬＧＷに接続され得るＳｅＮＢにオフロード／ハンドオーバすることを決定することができる。
【００７９】
いくつかの実施形態では、ＷＴＲＵは例えばＬＧＷ接続により、スモールセルｅＮＢに接続され得るＭｅＮＢへのハンドオーバを行うことができる。ＭｅＮＢは、ＱｏＳ要件を有し得ない１または複数またはすべてのベアラを、Ｌ−ＧＷによりＳｅＮＢにハンドオーバすることを決定することができる。１または複数のデフォルトベアラ、および／またはＱＣＩ８および／またはＱＣＩ９を有するベアラは、他のシナリオの中でもおそらく例えばＬ−ＧＷがＥｖｏｌｖｅｄ  Ｐａｃｋｅｔ  Ｓｙｓｔｅｍ（ＥＰＳ）ベアラに対するＱｏＳの条件をサポートしない可能性があるときに、ＳｅＮＢにオフロードされ得る。同じＰＤＮ接続のデフォルトおよび／または専用ベアラは、異なるセルによってサービスされ得る（例えばＱｏＳ要件を有するＰＤＮ接続「１」の専用ベアラはＭｅＮＢによってサービスされ、デフォルトベアラはＳｅＮＢによってサービスされ得る）。これらのベアラの１または複数をＳｅＮＢに切り換えるために、ベアラ固有のＸ２経路切り換え要求、および／またはＳｅＮＢ追加／変更手順が用いられ得る。ＭＭＥおよび／またはＳ−ＧＷは、例えば接続が、割り振られたＡＰＮ＿ＡＭＢＲを超える可能性がないことを確実にすることができる。
【００８０】
いくつかの実施形態では、１または複数またはすべてのスモールセルは、Ｌ−ＧＷ（例えばＳｅＮＢと一緒に置かれたおよび／またはスタンドアロンＬ−ＧＷ）に接続されない可能性がある。ＭｅＮＢは他のシナリオの中でも、おそらくＬＧＷに接続され得るＳｅＮＢの有効範囲内にＷＴＲＵが移動し得るとすぐに、おそらく例えばＳＩＰＴＯ＠ＬＮ  ＰＤＮ接続を経由して、１または複数のベアラをＬ−ＧＷにオフロードすることを決定することができる。
【００８１】
ＭｅＮＢは他のシナリオの中でも、おそらく例えばＷＴＲＵが複数のＳｅＮＢの有効範囲のもとにあり得るときに、有効範囲を有しない可能性があるＳｅＮＢを通してＬ−ＧＷに接続され得るＳｅＮＢを優先することができる。これは、ＲＡＮリソースおよび／またはネットワークリソースを、Ｌ−ＧＷ接続性を有するＳｅＮＢシステムにオフロードすることができる。
【００８２】
実施形態は、デュアルセルシナリオにおけるＬＩＰＡ識別および／または相関ＩＤを企図する。ＬＩＰＡはＷＴＲＵによって、おそらく例えばＬＩＰＡがそれに対して許可され得る（例えば閉じた加入者グループ（ＣＳＧ）によって）ＡＰＮへの、新しい（例えば新規のまたは更新された）ＰＤＮ接続を要求する承認加入により、確立され得る。
【００８３】
ＭｅＮＢは、ＬＧＷにＩＰアドレスを割り当てることができ、および／またはそれをＭＭＥに転送することができる。ＭＭＥは、他の理由の中でもおそらく１または複数のＬＧＷ−Ｓ５トンネルを確立するために、受信した一緒に置かれたＬＧＷ  ＩＰアドレスをＳＧＷに転送することができる。いくつかの実施形態では、他のシナリオの中でもおそらく例えばＳ１  ＩＰＳＥＣトンネルがＳＧＷとのＬ−Ｓ５インターフェースのために再使用され得るように、ＭｅＮＢのものと同じＩＰアドレスがＬＧＷに割り当てられ得る。いくつかの実施形態ではＭｅＮＢは、他のシナリオの中でもおそらく例えば新しい（例えば新規のまたは更新された）ＩＰアドレスがＬＧＷに割り当てられ得る場合に、Ｌ−Ｓ５のための新しい（例えば新規のまたは更新された）ＩＰＳＥＣトンネルをセットアップすることができる。いくつかの実施形態では、ＬＩＰＡを用いたＰＤＮ接続のためのベアラオフロードは、ＭｅＮＢに適用可能となり得る。（例えばいくつかの実施形態では、おそらくＭｅＮＢのみへの適用）。実施形態は、ＳｅＮＢへのベアラオフロードは、おそらく例えばＭｅＮＢとＳｅＮＢの間にユーザプレーンが存在し得ないので、少なくともいくつかのスモールセルアーキテクチャ（例えば図２の１Ａ）には有効でない可能性があることを認識する。実施形態は他のシナリオの中でも、このようなシナリオではＳｅＮＢへのベアラオフロードはＭｅＮＢによって考慮される可能性がないような、１または複数の構成／技法（例えば本明細書で述べられるような）を企図する。
【００８４】
ＭｅＮＢは、他のシナリオの中でもおそらく例えばＬＧＷ（例えばおそらくＬＧＷのみ）がＳｅＮＢと一緒に置かれ得る場合に、ＳｅＮＢにおけるＬＧＷの存在を認識しない可能性がある。ＳｅＮＢはそれの関連付けられたＬＧＷに、ＩＰアドレスを割り当てることができる（例えばいくつかの実施形態では、ＳｅＮＢと同じＩＰアドレスとなり得る）。ＭＭＥは、他のシナリオの中でもおそらく例えばＷＴＲＵによってＬＩＰＡ  ＰＤＮに対する接続性が要求され得るときに、ゲートウェイ選択を用いない可能性がある。ＭＭＥは、トラフィックがそれを通してオフロードされ得るＬＧＷを、おそらく例えば加入データ、ネットワークトポロジ、および／または負荷バランスなどに応じて選択することができる。
【００８５】
ＭｅＮＢが利用可能なＬＧＷのプールのアイデンティティを知ることが有用となり得る（例えば、おそらく例えばＭｅＮＢとの１つのＳ１−ＭＭＥインターフェースが存在し得るので（例えばＭｅＮＢ−ＭＭＥ））。アイデンティティの知識はまた、おそらく例えば１または複数のまたはあらゆるアイドル−アクティブ遷移（すなわち初期ＷＴＲＵメッセージ）において、および／または１または複数のまたはあらゆるアップリンクＮＡＳトランスポート内で（例えば、例えばＷＴＲＵが、要求の前にすでに別のＰＤＮに接続され得るときに）、ＭＭＥにＬＧＷのＩＰアドレスを転送するために有用となり得る。ＳｅＮＢは、割り当てられたＬＧＷのＩＰアドレスをＭｅＮＢに、他のシナリオの中でもおそらく例えば、おそらくＳｅＮＢと一緒に置かれたＬＧＷのシナリオにおいて、デュアル接続に関わるＸｎインターフェースの制御プレーンを通して転送することができる。いくつかの実施形態ではＩＰアドレスの転送は、例えばセットアップするとすぐに  −  おそらくＳｅＮＢが、関連付けられた一緒に置かれたＬＧＷを有し得るときは常に（例えばＨｅＮＢサブシステムが存在し得る、またはＳｅＮＢにおいて追加され得るときは常に）、デフォルトで１または複数またはすべての時点で行われ得る。いくつかの実施形態ではＩＰアドレスの転送は、１または複数のまたはあらゆるアイドルモードから接続されたモードへの遷移時にトリガされ得る。
【００８６】
いくつかの実施形態ではＳｅＮＢは、それの一緒に置かれたＬＧＷ  ＩＰアドレスを、例えばおそらくＭｅＮＢおよび／またはＳｅＮＢが一緒に置かれたＬＧＷを有し得るときに、転送することができる。ＭＭＥは、おそらく例えばトラフィックオフロードのための所与のＬＧＷを選択するために、ＭｅＮＢによって提案／転送された１または複数またはすべての利用可能なＬＧＷのＬＧＷアドレスを利用することができる。例えば１または複数またはすべての利用可能なＬＧＷのプールのＩＰアドレスは、おそらく例えばそれが、ＭＭＥへのシグナリングのための接続を有し得る（例えば１または複数または各所与のＷＴＲＵのためのＳ１−ＡＰインターフェースを通して）、ネットワークアクセスポイント（例えば、おそらくいくつかの実施形態では唯一のそのようなアクセスポイント）であり得る場合に、ＭｅＮＢにおいて利用可能となり得るおよび／または集中化され得る。
【００８７】
実施形態はＬＩＰＡベアラのために、選択されたＬＧＷとＳＧＷの間にユーザプレーントンネルを、おそらく例えばそれらがページングのために用いられ得る場合でも（例えばいくつかの実施形態ではおそらくページングのためのみに用いられる）、セットアップされ得ることを企図する。Ｓ５パケットデータネットワークゲートウェイ（ＰＧＷ）トンネルＩＤ（ＴＥＩＤ）は、おそらく例えばＣｒｅａｔｅ  Ｓｅｓｓｉｏｎ／Ｂｅａｒｅｒ  Ｒｅｓｐｏｎｓｅメッセージ内のベアラセットアップの一部として、選択されたＬＧＷによって設定され、および／またはＳＧＷに送られ（例えばＬ−Ｓ５インターフェースを通して）、および／またはＳＧＷによってＭＭＥに転送され得る（例えばＳ１１インターフェースを通して）。いくつかの実施形態では、同じＴＥＩＤがＭＭＥによってＭｅＮＢに（例えばＳ１−ＡＰを通して）、他のシナリオの中でもおそらく例えばＷＴＲＵが要求したＬＩＰＡ  ＰＤＮへのＰＤＮ接続の確立時に、および／またはおそらく例えば初期コンテキストセットアップ要求および／またはＥ−ＲＡＢセットアップ要求メッセージ内で渡され得る。ＴＥＩＤは、他の理由の中でもおそらく例えばオフロードされたトラフィックのための直接ユーザプレーン経路を管理するために、選択されたＬＧＷに関連付けられたｅＮＢによって相関ＩＤとして用いられ得る。いくつかの実施形態ではＭｅＮＢは相関ＩＤをＳｅＮＢに（例えばＸｎインターフェースの制御プレーンを通して）、他のシナリオの中でもおそらく例えば選択されたＬＧＷがＳｅＮＢと一緒に置かれ得る場合に、おそらくＳｅＮＢにおける選択されたＬＧＷを通る（例えば直接の）ユーザプレーン経路をイネーブルするために、転送することができる。
【００８８】
いくつかの実施形態では他のシナリオの中でも、おそらく例えばＳＧＷがＬＧＷと一緒に置かれ得る、スタンドアロンＬＧＷアーキテクチャを有するシナリオにおいて、おそらくＭｅＮＢおよび／またはＳｅＮＢがローカルトラフィックをコアネットワークトラフィックと区別しない可能性があるように、いくつかまたはすべてのトラフィックはＬ−ＳＧＷを通過し得る。他のシナリオの中でも、これらのようないくつかのシナリオでは、相関ＩＤは有用となり得ない。いくつかの実施形態ではスタンドアロンＬＧＷは、ネットワーク内の１または複数またはいくつかのｅＮＢへのＬＩＰＡ接続性をもたらすことができる。ローカルネットワークにおいて予め構成され得るＬＧＷアドレスは、他のシナリオの中でもおそらく例えばｅＮＢがそれらのアドレスをＬＧＷと、おそらく例えばそれらの間に（例えば直接の）経路を確立するために交換し得る間に、ＭｅＮＢおよび／またはＳｅＮＢに通知され得る。
【００８９】
１または複数のローカルホームネットワーク（ＬＨＮ）パラメータ（例えばＬＨＮ  ＩＤ）はＭｅＮＢおよび／またはＳｅＮＢにおいて、おそらく例えば同じＬＨＮ内の１または複数のｅＮＢが同じＬＨＮ  ＩＤを有し得るように構成され得る。ＬＨＮはＭｅＮＢによってＭＭＥに、他のシナリオの中でも例えばおそらく１または複数のまたはあらゆるＷＴＲＵ初期メッセージ、および／または１または複数のまたはあらゆるアップリンクＮＡＳトランスポート制御メッセージ内で、ＭｅＮＢ−ＭＭＥインターフェースを通してもたらされ得る。ＭＭＥは、ＷＴＲＵが現在のローカルホームネットワークに依然として存在し得るかどうかをトレースすることができ、および／またはおそらく例えば要求されたＡＰＮ、ＬＨＮ  ＩＤ、および／または負荷バランスなどに基づいて、適切なゲートウェイ選択／再配置を行うことができる。
【００９０】
実施形態は、ＬＩＰＡ／ＳＩＰＴＯトラフィックに対するＷＴＲＵアクセスを企図する。図７は、無線送信／受信ユニット（ＷＴＲＵまたはユーザ機器（ＵＥ））がＬＩＰＡ／ＳＩＰＴＯトラフィックにアクセスするための例示の技法を示す図である。ネットワークはＷＴＲＵに、ＬＩＰＡ／ＳＩＰＴＯ接続がＳｅＮＢに結び付けられ得ることを、他のシナリオの中でもおそらく例えばＷＴＲＵがＬＩＰＡ／ＳＩＰＴＯの目的のためにＰＤＮ接続を確立し得るとき、および／またはおそらく例えばこのＰＤＮ接続のためにネットワークがＳｅＮＢのローカルＧＷを選択し得た（例えば、Ｌ−ＧＷがＳｅＮＢ内に一緒に置かれ得る、および／またはスタンドアロンＬ−ＧＷ／ＳＧＷがＳｅＮＢに接続され得る）ときに、示すことができる。ＷＴＲＵは、ＰＤＮ接続がＳｅＮＢを経由していることの表示を記憶することができ、および／またはＳｅＮＢのＣｅｌｌ＿ＩＤを記憶することができる。いくつかの実施形態ではＷＴＲＵは、ＳｅＮＢとのＲＲＣ接続を（例えば直接に）セットアップしない可能性がある。ＷＴＲＵは、対応するＭｅＮＢとのＲＲＣ接続を行うことができる（例えばおそらくＳｅＮＢとのＲＲＣ接続を行う前に）。
【００９１】
いくつかの実施形態ではネットワークは、ＰＤＮ接続がＳｅＮＢを通過し得るＬＩＰＡ／ＳＩＰＴＯ接続であり得ることを示すために、ＡＣＴＩＶＡＴＥ  ＤＥＦＡＵＬＴ  ＢＥＡＲＥＲ  ＣＯＮＴＥＸＴ  ＲＥＱＵＥＳＴメッセージ内の「接続性タイプ」ＩＥを用いることができる。いくつかの実施形態では、このＰＤＮ接続に対応するＳｅＮＢの識別（例えばＣｅｌｌ＿ＩＤ）も、ＷＴＲＵに送られ得る（例えば同じメッセージ内で）。
【００９２】
７００２でＷＴＲＵは、ＬＩＰＡ／ＳＩＰＴＯ  ＰＤＮ接続（例えばＳｅＮＢを経由した）を確立することができる。言い換えればＷＴＲＵは、ローカルインターネットプロトコル（ＩＰ）アクセス（ＬＩＰＡ）通信または選択されたＩＰトラフィックオフロード（ＳＩＰＴＯ）通信の少なくとも１つのために、スモールセル進化型ノードＢ（ＳｅＮＢ）を経由したパケットデータネットワーク（ＰＤＮ）接続を確立することができる。７００４でＷＴＲＵは（例えばアイドルモードにおいて、またはアイドルモードからの遷移後すぐに）、ネットワークにアクセスすることおよび／またはＭｅＮＢとのＲＲＣ接続を行うことを試みることができる。ＷＴＲＵは、それがＳｅＮＢによってサービスされ得るかどうかを決定することができる（例えばサービス機会を決定することができる）。７００８でおそらくＷＴＲＵは、アップリンク（ＵＬ）データ要求を受信して、ＳｅＮＢによってサービスされ得るかどうかを決定するようにトリガされ得る。７０１０でＷＴＲＵは、ＵＬデータ要求がＬＩＰＡ／ＳＩＰＴＯに対するものであることを決定することができる。言い換えればＷＴＲＵは、ＵＬデータ要求がＬＩＰＡ通信またはＳＩＰＴＯ通信の少なくとも１つに対するものであることを決定することができる。
【００９３】
７０１２でＷＴＲＵは、記憶されたＳｅＮＢのＣｅｌｌ＿ＩＤに対応するセルを、探索および／または検出することができる。言い換えればＷＴＲＵは、ＳｅＮＢと通信する機会を決定することができる。ＷＴＲＵは、ＳｅＮＢからの信号の強度を測定することができる。ＷＴＲＵは、信号の強度を閾値と比較することができる。閾値を満たすまたは超える信号の強度は、ＳｅＮＢと通信する機会の発生を示し得る。例えばＷＴＲＵは、信号強度／品質が一定の基準（例えばＴＳ３６．３０４において定義されるＳ基準）を満たすことを決定することができる。７０１４でＷＴＲＵは、ＳｅＮＢと（例えばアップリンク）同期するために、ランダムアクセス手順（例えばＲＡＣＨ）を用いることができる。ＷＴＲＵは、ＵＬデータ要求に応答してＳｅＮＢを経由して、ＬＩＰＡ通信またはＳＩＰＴＯ通信の少なくとも１つを送ることができる。ＷＴＲＵは、ＭｅＮＢとおよび／またはそれを通して通信せずに、ＳｅＮＢを探索するおよび／またはＳｅＮＢと同期することができる。
【００９４】
７０１６でＷＴＲＵは、ＭｅＮＢとのランダムアクセス手順を行うことができる（例えばおそらく７０１４でのＳｅＮＢとのランダムアクセス手順（例えばＲＡＣＨ）に成功した後に）。ＷＴＲＵは、ＭｅＮＢとのＲＲＣ接続をセットアップすることができる。ＷＴＲＵは、それがＳｅＮＢと同期したことを示すことができ、および／またはＳｅＮＢのＣｅｌｌ＿ＩＤをＭｅＮＢにもたらすことができる。ＷＴＲＵは、他のシナリオの中でもおそらく例えばＷＴＲＵがＳｅＮＢを検出しない可能性がある場合、および／またはおそらく信号強度／品質が測定基準を満たさない可能性がある場合、および／またはおそらくＳｅＮＢへのランダムアクセスが失敗した場合は、ＭｅＮＢへのアクセスを開始しない可能性がある。
【００９５】
図８は、無線送信／受信ユニット（ＷＴＲＵまたはユーザ機器（ＵＥ））がＬＩＰＡ／ＳＩＰＴＯトラフィックにアクセスするための例示の技法を示す図である。いくつかの実施形態ではアクセスは、非ＬＩＰＡ／ＳＩＰＴＯトラフィックによってトリガされ得る。ＷＴＲＵはＭｅＮＢにアクセスすることができる（例えばおそらく直ちに、および／またはＳｅＮＢに対する探索／同期なしに）。８００２で、ＬＩＰＡ／ＳＩＰＴＯのためのＰＤＮ接続確立が確立され得る。いくつかの実施形態ではＷＴＲＵは、ＰＤＮ接続がＳｅＮＢを経由していることの表示を記憶することができ、および／またはＳｅＮＢのＣｅｌｌ＿ＩＤを記憶することができる。このようなシナリオでは中でもとりわけ、おそらく例えば８０１０で、ＭｅＮＢがＭＭＥからＩＮＩＴＩＡＬ  ＷＴＲＵ  ＣＯＮＴＥＸＴ  ＳＥＴＵＰ  ＲＥＱＵＥＳＴメッセージを受信し得た後に、ＭｅＮＢはＷＴＲＵがＬＩＰＡ／ＳＩＰＴＯ  ＰＤＮ接続（例えばＳｅＮＢを経由した）を有することを見出すことができる。実施形態は、ＬＩＰＡ／ＳＩＰＴＯ接続のデフォルトベアラのために無線ベアラを構成するように、以下の１または複数が行われ得ることを企図する。
【００９６】
８００４でＷＴＲＵは、ＩＤＬＥモードに入ることができ（例えばおそらくある時間の後に）、８００５でＷＴＲＵは、アップリンク（ＵＬ）データ要求を受信することができる。ＷＴＲＵは、ＵＬデータ要求がＬＩＰＡ／ＳＩＰＴＯに対するものであることを決定することができる。
【００９７】
８００６でＷＴＲＵは、ＭｅＮＢに対するランダムアクセスおよび／またはＲＲＣ接続セットアップを開始することができる。８００８でＷＴＲＵは、ＭＭＥに向かってサービス要求を送ることができる。
【００９８】
８０１２でＭｅＮＢは、このＷＴＲＵに対するＳＣＧ（スモールセルグループ）内にＳｅＮＢを追加する、および／またはＳｅＮＢシグナリングにより（例えばＸｎインターフェース（ＭｅＮＢとＳｅＮＢの間のインターフェース）を通して））、無線ベアラ構成を取り決めることができる。８０１４でＳｅＮＢは、無線ベアラ構成情報をＭｅＮＢにもたらすことができる。８０１６でＭｅＮＢは、ＷＴＲＵにＲＲＣ  ＣＯＮＮＥＣＴＩＯＮ  ＲＥＣＯＮＦＩＧＵＲＡＴＩＯＮメッセージ内で無線ベアラ構成を送ることができる。ＭｅＮＢは、この無線ベアラはＳｅＮＢに接続され得ることをＷＴＲＵに示すことができる。
【００９９】
８０１８でＷＴＲＵは、他のシナリオの中でもおそらく例えばＲＲＣ  ＣＯＮＮＥＣＴＩＯＮ  ＲＥＣＯＮＦＩＧＵＲＡＴＩＯＮメッセージを受信するとすぐに、ＳｅＮＢに対する探索および／または同期を開始することができる。ＷＴＲＵは無線ベアラ構成を実装することができる。
【０１００】
８０２０でＷＴＲＵは、ＳｅＮＢの利用可能性をＭｅＮＢに報告することができる（例えば１または複数のＲＲＣ測定報告メッセージ内で）。ＭｅＮＢは、他のシナリオの中でもおそらくＳｅＮＢが利用可能となり得ない場合は、ＳＣＧからＳｅＮＢを削除することができ、および／またはＳｅＮＢに無線ベアラを解放するように求めることができる。
【０１０１】
１または複数の実施形態ではＷＴＲＵは、おそらくそれがＭｅＮＢにアクセスし得る前に、ＳｅＮＢに対して探索および／または同期することができる。ＷＴＲＵは、ＳｅＮＢの利用可能性を、ＲＲＣ  ＣＯＮＮＥＣＴＩＯＮ  ＳＥＴＵＰ  ＲＥＱＵＥＳＴメッセージ内でＭｅＮＢに報告することができる。ＭｅＮＢは、ＭＭＥからＩＮＩＴＩＡＬ  ＷＴＲＵ  ＣＯＮＴＥＸＴ  ＳＥＴＵＰ  ＲＥＱＵＥＳＴメッセージを受信することができ、および／またはＷＴＲＵがＬＩＰＡ／ＳＩＰＴＯ  ＰＤＮ接続（例えばＳｅＮＢを経由した）を有することを見出すことができる。ＷＴＲＵは、おそらく例えばＳｅＮＢの利用可能性に基づいて、ＬＩＰＡ／ＳＩＰＴＯ  ＰＤＮのための無線ベアラを構成するかどうかを決定することができる。
【０１０２】
アクセスは、ダウンリンクＬＩＰＡ／ＳＩＰＴＯトラフィックによって引き起こされたページングによってトリガされ得る。ページングメッセージは、ページングがＬＩＰＡ／ＳＩＰＴＯダウンリンクトラフィックのためのものであり得ることの表示を運ぶことができる。対応する表示は、他の理由の中でもおそらく例えばＭＭＥがページングはＬＩＰＡ／ＳＩＰＴＯトラフィックによって引き起こされたことを知るために、Ｓ５ダミーパケットおよび／またはＳ１１シグナリング（例えばＤＯＷＮＬＩＮＫ  ＤＡＴＡ  ＮＯＴＩＦＩＣＡＴＩＯＮ）内に追加され得る。
【０１０３】
ＷＴＲＵは、他のシナリオの中でもおそらく例えばそれがＭｅＮＢにアクセスし得る前に、および／またはおそらくＷＴＲＵがＬＩＰＡ／ＳＩＰＴＯ表示を有するページングを受信し得る場合に、ＳｅＮＢ利用可能性をチェックすることができる（例えば本明細書で述べられるように）。
【０１０４】
いくつかの実施形態では、ページングメッセージ内にＬＩＰＡ／ＳＩＰＴＯの表示がない場合がある。ＷＴＲＵは、他のシナリオの中でもおそらく例えばアクセスが行われる前に、ＭｅＮＢにアクセスする（例えば直ちにアクセスする）、および／またはＳｅＮＢ利用可能性をチェックする（本明細書で述べられるように）ことができる。
【０１０５】
アクセスは、ダウンリンク非ＬＩＰＡ／ＳＩＰＴＯトラフィックによって引き起こされたページングによってトリガされ得る。ＷＴＲＵは、他のシナリオの中でもおそらくアクセスの前に、ＭｅＮＢにアクセスする（例えば直ちにアクセスする）、および／またはＳｅＮＢ利用可能性をチェックする（本明細書で述べられるように）ことができる。
【０１０６】
実施形態は、アイドルからのおよび／または既存のＳＩＰＴＯ  ＰＤＮ接続による、ＳＩＰＴＯトラフィックに対するＷＴＲＵアクセスを企図する。ＭｅＮＢは、１または複数のまたは２つ以上の（例えばＳＩＰＴＯ）ＬＧＷ  ＩＰアドレスを、（例えばＳ１ＡＰ初期メッセージ内で）もたらすことができる。いくつかの実施形態では、おそらく１つのＬＧＷ  ＩＰアドレスがもたらされ得る（例えばおそらくいくつかの実施形態では、おそらく１つだけがもたらされ得る）。ＭｅＮＢは、他のシナリオの中でもおそらく例えば１つだけのアドレスがもたらされ得るときに、ＬＧＷ  ＩＰアドレスが一時的であり得ることを示すことができる。
【０１０７】
ＭＭＥはＭｅＮＢに、ＳＩＰＴＯ  ＬＧＷのＩＰアドレス、および／または相関識別（ＩＤ）（例えばＲ１２手順において）を、他のシナリオの中でもおそらく例えばＭｅＮＢへの初期ＷＴＲＵコンテキストセットアップ要求の後すぐに、および／またはおそらく例えばＭｅＮＢによってもたらされた１または複数のＬＧＷ  ＩＰアドレスのいずれかが、ＷＴＲＵコンテキスト内でもたらされ得るＬＧＷ（例えばＬＧＷ  ＩＰアドレス）とマッチし得る場合に、もたらすことができる。言い換えれば、ＬＧＷ  ＩＰアドレス（例えばＷＴＲＵコンテキスト内の）と１または複数のＬＧＷ  ＩＰアドレス（例えばＭｅＮＢによってもたらされる）の間で、対応するＬＧＷ  ＩＰアドレスが存在することまたは存在しないことの少なくとも１つ。ＭＭＥはタイマ（例えばタイマ「Ｘ」）を開始することができる。ＭＭＥは、他のシナリオの中でもおそらく例えばマッチが見出されなかった（例えば、ＬＧＷ  ＩＰアドレスと１または複数のＬＧＷ  ＩＰアドレスの間で、対応するＬＧＷ  ＩＰアドレスが存在しないことを決定した）場合に、ＳＩＰＴＯ  ＰＤＮ接続の非活動化および／または再活動化を行うことができる。
【０１０８】
ＭｅＮＢは、他のシナリオの中でもおそらく例えばＬＧＷ  ＩＰアドレスを有するＷＴＲＵコンテキスト、ＭＭＥからの対応するＬＧＷ  ＩＰアドレス（例えばＳＩＰＴＯ  ＬＧＷ  ＩＰアドレス）、および／または相関ＩＤを受信した後に、ＬＧＷ  ＩＰアドレスおよび／または相関ＩＤによって識別されるＳｅＮＢとのデータトンネルを作成することができる（例えばＸｎトンネルを経由したＳＩＰＴＯ  Ｕプレーン）。ＭｅＮＢは、他のシナリオの中でもおそらく例えばＬＧＷ  ＩＰアドレスを有するＷＴＲＵコンテキスト、ＭＭＥからの対応するＬＧＷ  ＩＰアドレス（例えばＳＩＰＴＯ  ＬＧＷ  ＩＰアドレス）、および／または相関ＩＤを受信した後に、ＰＤＮ接続のための（例えば「通常の」）ｅＮＢとして（例えばトンネルなしで）働くことができる（例えばＳＧＷを経由したＳＩＰＴＯ  Ｕプレーン）。
【０１０９】
ＭｅＮＢは、１または複数のＳセルのまたはそれらに対する、１または複数の測定を行うようにＷＴＲＵを構成することができる。ＭｅＮＢは測定を、他のシナリオの中でもおそらく例えばＷＴＲＵコンテキスト内のＬＧＷ  ＩＰアドレス、ＭＭＥからの対応するＬＧＷ  ＩＰアドレス（例えばＳＩＰＴＯ  ＬＧＷ  ＩＰアドレス）、および／または相関ＩＤに、関連付けられ得るセルによるＷＴＲＵの測定を構成するように、ＭＭＥによってもたらされ得るＬＧＷ  ＩＰアドレスに基づくものとすることができる。言い換えれば例えば、少なくとも１つの適切なＳセルが存在することまたは存在しないことは、１または複数の測定に基づいて決定され得る。
【０１１０】
ＭｅＮＢはＭＭＥに、他のシナリオの中でもおそらく例えばＳセルがＷＴＲＵのために構成され得るときに、Ｓ１−Ｕトランスポートアドレス、および／またはオフロードされるベアラのためのＳｅＮＢのＴＥＩＤを通知することができる。このメッセージ内にＭｅＮＢは、他のシナリオの中でもおそらく例えば構成されたＳｅＮＢが、一緒に置かれたＬＧＷによるＳＩＰＴＯをサポートし得る場合、および／またはおそらく例えばオフロードされるベアラが相関ＩＤを含み得る場合に、ＳｅＮＢのＳＧＷ  ＩＰアドレスを含めることができる。ＭｅＮＢは、他のシナリオの中でもおそらく例えばＬＧＷアドレスが前もって識別され得る場合、および／またはおそらく例えばＸｎインターフェースの確立時に、ＷＴＲＵの相関ＩＤをＳｅＮＢにシグナリングすることができる。ＳｅＮＢは、他のシナリオの中でもおそらく例えばＭｅＮＢがＲＲＣ再構成手順を完了し得た後に、ＷＴＲＵへのまたはそれからのＳＩＰＴＯ  ＰＤＮデータの送出および／または受信（例えば直接の送出／受信）を開始することができる。
【０１１１】
ＳｅＮＢは、おそらく例えばマーカパケットとして最後のパケットを含めることによって、ＭｅＮＢへのデータの送出を終了することができる（例えばＳＧＷ、および／または前もって確立されたトンネルを経由して）。ＳｅＮＢは、新しい（例えば新規のまたは更新された）データのＷＴＲＵへの（例えば直接の）送出を、他のシナリオの中でもおそらく例えばそれがマーカパケットを受信するまで（例えば、おそらくベアラハンドオーバプロセスの一部として、ＭｅＮＢからＸｎインターフェースを経由して）、開始しない可能性がある。
【０１１２】
ＭＭＥは、他のシナリオの中でもおそらく例えば何らかのＬＧＷが識別され得る場合に、タイマＸを終了することができる。ＭＭＥは、他のシナリオの中でもおそらく例えばＭＭＥへの信号が、ＷＴＲＵコンテキスト内のものと異なるＬＧＷを識別した場合に、ＷＴＲＵとのＳＩＰＴＯ  ＰＤＮ接続の非活動化および／または再活動化を行うことができる。
【０１１３】
ＭＭＥは、おそらく例えば少なくとも１つの適切なＳセルの存在が決定されることなくタイマＸが満了し得た場合に、例えばＰＧＷ（例えばＲＡＮ上の）へのＳＩＰＴＯ  ＰＤＮ接続を構成または再構成（例えばオフロード）することによって、ＷＴＲＵとのＳＩＰＴＯ  ＰＤＮ接続の非活動化および／または再活動化を行うことができる。例えば測定手順の間に、一緒に置かれたＬＧＷを有するＳｅＮＢが識別されない場合があり、および／またはＳセルが閾値より高く測定され得ない場合がある。言い換えれば他のシナリオの中でも、１または複数の適切なまたは使用可能なＳセルが決定される場合があり、またはされない可能性がある。
【０１１４】
特徴および要素は上記では特定の組み合わせにおいて述べられたが、当業者は、各特徴または要素は単独で、または他の特徴および要素との任意の組み合わせにおいて用いられ得ることを理解するであろう。加えて本明細書で述べられた方法は、コンピュータまたはプロセッサによる実行のためにコンピュータ可読媒体に組み込まれた、コンピュータプログラム、ソフトウェア、またはファームウェアにおいて実装され得る。コンピュータ可読媒体の例は、電子信号（有線または無線接続を通して送信される）、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含むが、それらに限定されない。ＷＴＲＵ、ＵＥ、端末装置、基地局、ＲＮＣ、または任意のホストコンピュータにおける使用のために、無線周波数トランシーバを実装するように、ソフトウェアと関連してプロセッサが用いられ得る。
【図１Ａ】
2017513427.tif 000003
【図１Ｂ】
2017513427.tif 000004
【図１Ｃ】
2017513427.tif 000005
【図１Ｄ】
2017513427.tif 000006
【図１Ｅ】
2017513427.tif 000007
【図１Ｆ】
2017513427.tif 000008
【図２】
2017513427.tif 000009
【図３】
2017513427.tif 000010
【図４】
2017513427.tif 000011
【図５】
2017513427.tif 000012
【図６】
2017513427.tif 000013
【図７】
2017513427.tif 000014
【図８】
2017513427.tif 000015
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
スモールセル進化型ノードＢデバイス（ＳｅＮＢ）であって、
少なくとも、
ローカルゲートウェイ（ＬＧＷ）のためのインターネットプロトコル（ＩＰ）アドレスを決定することであって、前記ＬＧＷは前記ＳｅＮＢに関連付けられる、決定すること、
前記ＩＰアドレスを前記ＬＧＷに割り当てること、
ローカルＩＰアクセス（ＬＩＰＡ）通信、または選択されたＩＰトラフィックオフロード（ＳＩＰＴＯ）通信の少なくとも１つで通信する要求を受信すること、
を行うように構成されたプロセッサと、
少なくとも、
前記ＬＧＷとの関連付け、または前記要求の前記受信のうちの少なくとも１つの後すぐに、前記ＬＧＷ  ＩＰアドレスをマクロ進化型ノードＢ（ＭｅＮＢ）に送ることであって、前記ＳｅＮＢは前記ＭｅＮＢとデュアル接続である、送ること、
を行うように構成されたトランシーバと、を備え、前記プロセッサは、
前記ＬＩＰＡ通信、または前記ＳＩＰＴＯ通信の前記少なくとも１つで通信するように構成された、ＳｅＮＢ。
【請求項２】
前記プロセッサは、前記ＬＧＷ  ＩＰアドレスが、前記ＭｅＮＢとの前記デュアル接続に関わる制御プレーンインターフェースを経由して送られるようにさらに構成される、請求項１に記載のＳｅＮＢ。
【請求項３】
前記制御プレーンインターフェースは、Ｘｎインターフェースである、請求項２に記載のＳｅＮＢ。
【請求項４】
前記プロセッサは、前記ＬＧＷのための前記ＩＰアドレスを決定することが、前記ＬＧＷが前記ＳｅＮＢと同じＩＰアドレスを有することを決定することを含むように構成される、請求項１に記載のＳｅＮＢ。
【請求項５】
前記ＬＧＷは、ローカルパケットデータネットワーク（ＰＤＮ）ゲートウェイ、ローカルＩＰアクセス、または選択されたＩＰトラフィックオフロード（ＬＩＰＡ／ＳＩＰＴＯ）ゲートウェイのうちの少なくとも１つである、請求項１に記載のＳｅＮＢ。
【請求項６】
前記トランシーバは、前記ＭｅＮＢから相関識別を受信するようにさらに構成され、前記相関識別は、前記ＳｅＮＢと前記ＬＧＷとの間の相関を提供する、請求項１に記載のＳｅＮＢ。
【請求項７】
前記ＳｅＮＢおよび前記ＭｅＮＢは、同一のローカルホームネットワーク（ＬＨＮ）識別を有する、請求項１に記載のＳｅＮＢ。
【請求項８】
前記ＭｅＮＢとの前記デュアル接続は、前記ＳｅＮＢおよび前記ＭｅＮＢの両方を経由する、無線送信／受信ユニット（ＷＴＲＵ）への情報の通信を含む、請求項１に記載のＳｅＮＢ。
【請求項９】
前記プロセッサは、前記ＬＩＰＡ通信、または前記ＳＩＰＴＯ通信のうちの少なくとも１つで通信することが、前記ＬＧＷと協働されるようにさらに構成される、請求項１に記載のＳｅＮＢ。
【請求項１０】
スモールセル進化型ノードＢデバイス（ＳｅＮＢ）によって実行される方法であって、
ローカルゲートウェイ（ＬＧＷ）のためのインターネットプロトコル（ＩＰ）アドレスを決定することであって、前記ＬＧＷは前記ＳｅＮＢに関連付けられる、ステップと、
前記ＩＰアドレスを前記ＬＧＷに割り当てるステップと、
ローカルＩＰアクセス（ＬＩＰＡ）通信、または選択されたＩＰトラフィックオフロード（ＳＩＰＴＯ）通信のうちの少なくとも１つで通信する要求を受信するステップと、
前記ＬＧＷとの関連付け、または前記要求の前記受信のうちの少なくとも１つの後すぐに、前記ＬＧＷ  ＩＰアドレスをマクロ進化型ノードＢ（ＭｅＮＢ）に送るステップであって、前記ＳｅＮＢは前記ＭｅＮＢとデュアル接続である、ステップと、
前記ＬＩＰＡ通信、または前記ＳＩＰＴＯ通信のうちの前記少なくとも１つで通信するステップと、
を含む、方法。
【請求項１１】
前記ＬＧＷ  ＩＰアドレスが、前記ＭｅＮＢとの前記デュアル接続に関わる制御プレーンインターフェースを経由して送られる、請求項１０に記載の方法。
【請求項１２】
前記ＭｅＮＢから相関識別を受信するステップをさらに含み、前記相関識別は、前記ＳｅＮＢと前記ＬＧＷとの間の相関を提供する、請求項１０に記載の方法。
【請求項１３】
前記ＳｅＮＢおよび前記ＭｅＮＢは、同一のローカルホームネットワーク（ＬＨＮ）識別を有する、請求項１０に記載の方法。
【請求項１４】
前記ＬＧＷは、ローカルパケットデータネットワーク（ＰＤＮ）ゲートウェイ、ローカルＩＰアクセス、または選択されたＩＰトラフィックオフロード（ＬＩＰＡ／ＳＩＰＴＯ）ゲートウェイのうちの少なくとも１つである、請求項１０に記載の方法。
【請求項１５】
前記ＭｅＮＢとの前記デュアル接続は、前記ＳｅＮＢおよび前記ＭｅＮＢの両方を経由して無線送信／受信ユニット（ＷＴＲＵ）へ情報を通信することを含む、請求項１０に記載の方法。
【国際調査報告】
2017513427.tif 000016
2017513427.tif 000017
2017513427.tif 000018
2017513427.tif 000019
2017513427.tif 000020
2017513427.tif 000021